(57)【特許請求の範囲】
【請求項１】
番組及び広告をテレビ画面手段に表示するための画面情報及び前記画面情報における広告を識別する広告識別情報を含む放送情報を獲得し、テレビ画面手段に前記画面情報を表示するためのコンピュータを、
放送情報を獲得する放送情報獲得手段、
獲得した放送情報から広告識別情報を抽出する広告識別情報抽出手段、
抽出した広告識別情報をテレビ画面手段に表示するためのテレビ画面情報を生成するテレビ画面情報生成手段、
他のテレビ受像装置の画面情報抽出手段が抽出する画面情報の種類の変更を指示する変更情報を送出する変更情報送出手段、
として機能させるテレビ受像プログラムであって、
前記広告識別情報抽出手段は、さらに、
前記変更情報を送出した後は、種類変更後の画面情報に対応する広告識別情報を抽出し、
前記テレビ画面情報生成手段は、さらに、
前記変更情報を送出する前に抽出した広告識別情報及び前記変更情報を送出した後に抽出した広告識別情報に基づき前記テレビ画面情報を生成すること、
として機能させることを特徴とするテレビ受像プログラム。
【請求項２】
番組及び広告をテレビ画面手段に表示するための画面情報及び前記画面情報における広告を識別する広告識別情報を含む放送情報を獲得し、テレビ画面手段に前記画面情報を表示するテレビ受像装置であって、
前記テレビ受像装置は、
放送情報を獲得する放送情報獲得手段、
獲得した放送情報から広告識別情報を抽出する広告識別情報抽出手段、
抽出した広告識別情報をテレビ画面手段に表示するためのテレビ画面情報を生成するテレビ画面情報生成手段、
他のテレビ受像装置の画面情報抽出手段が抽出する画面情報の種類の変更を指示する変更情報を送出する変更情報送出手段、
を有し、
前記広告識別情報抽出手段は、さらに、
前記変更情報を送出した後は、種類変更後の画面情報に対応する広告識別情報を抽出し、
前記テレビ画面情報生成手段は、さらに、
前記変更情報を送出する前に抽出した広告識別情報及び前記変更情報を送出した後に抽出した広告識別情報に基づき前記テレビ画面情報を生成すること、
を特徴とするテレビ受像装置。
【請求項３】
番組をテレビ画面手段に表示するための番組画面情報、広告をテレビ画面手段に表示するための広告画面情報及び前記広告画面情報における広告を識別する広告識別情報を獲得し、テレビ画面手段に前記番組画面情報、前記広告画面情報を表示するテレビ受像装置であって、
前記テレビ受像装置は、
前記広告識別情報を獲得する広告識別情報獲得手段、
獲得した広告識別情報をテレビ画面手段に表示するためのテレビ画面情報を生成するテレビ画面情報生成手段、
他のテレビ受像装置において表示される番組画面情報若しくは広告画面情報の種類の変更を指示する変更情報を送出する変更情報送出手段、
を有し、
前記広告識別情報獲得手段は、さらに、
前記変更情報を送出した後は、種類変更後にテレビ画面手段に表示される広告画面情報に対応する広告識別情報を獲得し、
前記テレビ画面情報生成手段は、さらに、
前記変更情報を送出する前に獲得した広告識別情報及び前記変更情報を送出した後に獲得した広告識別情報に基づき前記テレビ画面情報を生成すること、
を特徴とするテレビ受像装置。
【請求項４】
請求項２に係るテレビ受像装置において、さらに、
獲得した放送情報から画面情報を抽出する画面情報抽出手段、
を有し、
前記テレビ画面情報生成手段は、
抽出した画面情報及び広告識別情報をテレビ画面手段に表示するためのテレビ画面情報を生成すること、
を特徴とするテレビ受像装置。
【請求項５】
請求項３に係るテレビ受像装置において、さらに、
前記番組画面情報を獲得する番組画面情報獲得手段、
前記広告画面情報を獲得する広告画面情報獲得手段、
を有し、
前記テレビ画面情報生成手段は、さらに、
獲得した番組画面情報若しくは広告画面情報をテレビ画面手段に表示するためのテレビ画面情報を生成すること、
を特徴とするテレビ受像装置。
【請求項６】
請求項３〜請求項５に係るテレビ受像装置のいずれかにおいて、さらに、
前記テレビ画面手段に表示した広告識別情報の１つを選択する旨の選択情報を獲得する選択情報獲得手段、
獲得した選択情報に対応する広告情報の取得を要求する旨の要求情報を送出する広告情報要求手段、
前記要求情報に対応する広告情報を、広告に関する広告情報を提供する広告提供装置から取得する広告情報取得手段、
を有するテレビ受像装置。
【発明の詳細な説明】
【関連出願の参照】
【０００１】
日本国特許出願：特願２００４−３５２９９５号（平成１６年１２月６日出願）の明細書、請求の範囲、図面、及び要約を含む全開示内容は、これら全開示内容を参照することにより本出願に合体される。
【技術分野】
【０００２】
本発明は、広告を表示するテレビ受像システムであって、特に、ユーザにおける広告情報の取得機会の時間的拡張を実現することができるものに関する。
【背景技術】
【０００３】
従来の広告システムについて図３１に示す情報配信システムを例に説明する。図３１に示す情報配信システムは、車内ＴＶ１００、携帯電話１０１及びＷｅｂサーバ１０５を有している。
【０００４】
車内ＴＶ１００は、電車内に設置されており、ニュースや天気予報、ＣＭなどの各種番組（コンテンツ）をそのディスプレイで順次切替表示（放映）する。また、それとともに各番組の放映中、当該番組に対応づけられたＵＲＬを無線により半径数メートルの範囲に送信する。
【０００５】
携帯電話１０１は、車内ＴＶ１００から発信された上記ＵＲＬを受信する。携帯電話１０１は、所定のプロトコルにより無線基地局１０３およびＩＳＰ１０４を介してインターネット１０２に接続するとともに、操作者が指定したＵＲＬのＷｅｂページを取得してそのディスプレイに表示する。
【０００６】
Ｗｅｂサーバ１０５は、インターネット１０２上に設置されており、パーソナルコンピュータや携帯電話機など各種の情報処理装置からの要求を受けて、指定されたＵＲＬのＷｅｂページを要求元に返信する。
【０００７】
このような情報配信システムによって、天気予報やニュース、ＣＭなどの各種番組が放映されている車内ＴＶ１００の近くで、手持ちの携帯電話１０１を操作するだけで、乗客は放映中の番組に対応づけられたＵＲＬを取り込んで、その飛び先のＷｅｂページを自己の携帯電話で閲覧することができる。即ち、従来していたように、車内ＴＶや車内広告で宣伝されているＵＲＬをいったん記憶・記録して、あらためて携帯電話やパーソナルコンピュータに入力するといった手間を要することなく、興味を持ったときに興味を持った情報にダイレクトにアクセスすることができる。
【特許文献１】特開２００３−３２７５４
【発明の概要】
【発明が解決しようとする課題】
【０００８】
前述の情報配信システムには、次のような問題点がある。携帯電話１０１のユーザは、現在において車内ＴＶ１００に表示されている番組についての情報しか取得できない、という問題点があった。ユーザは、過去に表示された番組についての情報を取得することはできず、また、これから表示される番組についての情報も取得することができない。つまり、表示される時間が決まっているという時間的制約がある番組について、携帯電話１０１のユーザにおける情報の取得機会が時間的に限定される、という問題点がある。
【０００９】
そこで、本発明は、ユーザにおける広告情報の取得機会の時間的拡張を行える広告システムを提供することを目的とする。
【課題を解決するための手段】
【００１０】
本発明に関する課題を解決するための手段及び発明の効果を以下に示す。
【００１１】
本発明に係る広告システムでは、第１のテレビ受像装置は、放送情報を獲得し、獲得した放送情報から画面情報を抽出し、獲得した放送情報から広告識別情報を抽出し、抽出した画面情報及び広告識別情報をテレビ画面手段に表示するためのテレビ画面情報を生成し、生成したテレビ画面情報をテレビ画面手段に表示する第１のテレビ受像装置であって、前記広告識別情報を複数テレビ画面手段に表示するテレビ画面情報を生成し、第２のテレビ受像装置は、前記放送情報を獲得し、獲得した放送情報から画面情報を抽出し、抽出した画面情報をテレビ画面手段に表示するためのテレビ画面情報を生成し、生成したテレビ画面情報をテレビ画面手段に表示する。
【００１２】
これにより、テレビ画面手段に表示される広告についての広告識別情報を、放送情報から抽出し、当該テレビ画面手段に複数表示することができる。つまり、放送において実際に広告が表示された時間にユーザがその広告を見ていなくとも、表示された広告をユーザに識別させることができる。従って、例えば、ユーザは後にインターネット等を介して表示された広告に関する広告情報を取得することも可能となることから、ユーザにおける広告情報の取得機会の時間的拡張を行うことが可能となる。
【００１３】
本発明に係る広告システムでは、第１のテレビ受像装置は、番組画面情報を獲得し、広告画面情報を獲得し、広告識別情報を獲得し、獲得した番組画面情報若しくは広告画面情報をテレビ画面手段に表示するためのテレビ画面情報を生成し、生成したテレビ画面情報をテレビ画面手段に表示し、広告識別情報を複数テレビ画面手段に表示するテレビ画面情報を生成し、第２のテレビ受像装置は、番組画面情報を獲得し、広告画面情報を獲得し、獲得した番組画面情報若しくは広告画面情報をテレビ画面手段に表示するためのテレビ画面情報を生成し、生成したテレビ画面情報をテレビ画面手段に表示する。
【００１４】
これにより、テレビ画面手段に表示される広告についての広告識別情報を、ネットワークを介して獲得し、当該テレビ画面手段に複数表示することができる。つまり、ネットワークを介した配信において実際に広告が表示された時間にユーザがその広告を見ていなくとも、表示された広告をユーザに識別させることができる。従って、例えば、ユーザは後にインターネット等を介して表示された広告に関する広告情報を取得することも可能となることから、ユーザにおける広告情報の取得機会の時間的拡張を行うことが可能となる。
【００１５】
本発明に係る広告システム、テレビ受像装置、テレビ受像プログラムでは、さらに、広告情報提供装置は、広告に関する広告情報を提供し、第１のテレビ受像装置は、さらに、前記テレビ画面手段に表示した広告識別情報のひとつを選択する旨の選択情報を獲得し、獲得した選択情報に対応する広告情報の取得を要求する旨の要求情報を送出し、前記要求情報に対応する広告情報を前記広告提供装置から獲得し、さらに、前記要求情報に対応する広告情報をテレビ画面手段に表示するためのテレビ画面情報を生成する。
【００１６】
これにより、表示された広告について、ユーザが広告情報を得る機会を容易に与えることができる。つまり、ユーザにおける広告情報の取得機会の時間的拡張を行うことが可能となる。
【００１７】
本発明に係るテレビ受像装置若しくはテレビ受像プログラムでは、放送情報を獲得し、獲得した放送情報から画面情報を抽出し、獲得した放送情報から広告識別情報を抽出し、抽出した画面情報及び広告識別情報をテレビ画面手段に表示するためのテレビ画面情報を生成し、生成したテレビ画面情報をテレビ画面手段に表示し、さらに、前記広告識別情報を複数テレビ画面手段に表示するテレビ画面情報を生成する。
【００１８】
これにより、テレビ画面手段に表示された広告についての広告識別情報を、放送情報から抽出し、当該テレビ画面手段に複数表示することができる。つまり、放送において実際に広告が表示された時間にユーザがその広告を見ていなくとも、ユーザに表示された広告を識別させることができる。従って、例えば、ユーザは後にインターネット等を介して広告情報を取得することも可能となることから、ユーザにおける広告情報の取得機会の時間的拡張を行うことが可能となる。
【００１９】
本発明に係るテレビ受像装置若しくはテレビ受像プログラムでは、番組画面情報を獲得し、広告画面情報を獲得し、広告識別情報を獲得し、獲得した番組画面情報若しくは広告画面情報をテレビ画面手段に表示するためのテレビ画面情報を生成し、生成したテレビ画面情報をテレビ画面手段に表示し、さらに、広告識別情報を複数テレビ画面手段に表示するテレビ画面情報を生成する。
【００２０】
これにより、テレビ画面手段に表示される広告についての広告識別情報を、ネットワークを介して獲得し、当該テレビ画面手段に複数表示することができる。つまり、ネットワークを介した配信において実際に広告が表示された時間にユーザがその広告を見ていなくとも、表示された広告をユーザに識別させることができる。従って、例えば、ユーザは後にインターネット等を介して表示された広告に関する広告情報を取得することも可能となることから、ユーザにおける広告情報の取得機会の時間的拡張を行うことが可能となる。
【００２１】
本発明に係るテレビ受像装置若しくはテレビ受像プログラムでは、さらに、前記テレビ画面手段に表示した広告識別情報のひとつを選択する旨の選択情報を獲得し、獲得した選択情報に対応する広告情報の取得を要求する旨の要求情報を送出し、前記要求情報に対応する広告情報を広告に関する広告情報を提供する広告提供装置から獲得し、さらに、前記要求情報に対応する広告情報をテレビ画面手段に表示するためのテレビ画面情報を生成する。
【００２２】
これにより、表示された広告について、ユーザが広告情報を得る機会を容易に与えることができる。つまり、ユーザにおける広告情報の取得機会の時間的拡張を行うことが可能となる。
【００２３】
本発明に係る広告システム、テレビ受像装置若しくはテレビ受像プログラムでは、過去若しくは現在において前記テレビ画面手段に表示した広告に関する広告識別情報を表示するテレビ画面情報を生成する。
【００２４】
これにより、既に表示された若しくは現在表示されている広告について、ユーザに容易に識別させることができる。つまり、既に表示された若しくは現在表示されている広告について、ユーザにおける広告情報の取得機会の時間的拡張を行うことが可能となる。
【００２５】
本発明に係る広告システム、テレビ受像装置若しくはテレビ受像プログラムでは、前記テレビ画面手段に今後表示する広告に関する広告識別情報を表示するテレビ画面情報を生成する。
【００２６】
これにより、これから表示される広告について、ユーザに容易に識別させることができる。つまり、これから表示される広告について、ユーザにおける広告情報の取得機会の時間的拡張を行うことが可能となる。
【００２７】
本発明に係る広告システム若しくはテレビ受像装置では、前記テレビ画面手段に表示される複数の広告識別情報は、当該広告識別情報が獲得された時系列順に従って表示される。
【００２８】
これにより、ユーザが容易に目的とする広告識別情報を見つけられる用にすることができる。
【００２９】
本発明に係る広告システムでは、第１のテレビ受像装置は、放送情報を獲得し、獲得した放送情報から画面情報を抽出し、獲得した放送情報から広告識別情報を抽出し、広告識別情報をテレビ画面手段に表示する旨の表示要求情報を獲得し、抽出した画面情報をテレビ画面手段に表示するためのテレビ画面情報を生成し、生成したテレビ画面情報をテレビ画面手段に表示し、前記表示要求情報を獲得したと判断すると、前記画面情報及び前記広告識別情報をテレビ画面手段に表示するためのテレビ画面情報を生成し、第２のテレビ受像装置は、前記放送情報を獲得し、獲得した放送情報から画面情報を抽出し、抽出した画面情報をテレビ画面手段に表示するためのテレビ画面情報を生成し、生成したテレビ画面情報をテレビ画面手段に表示する。
【００３０】
これにより、ユーザが望むときのみ、放送情報から抽出した広告情報識別情報を表示させることができる。
【００３１】
本発明に係る広告システムでは、記第１のテレビ受像装置は、前記番組画面情報を獲得し、前記広告画面情報を獲得し、前記広告識別情報を獲得し、前記広告識別情報をテレビ画面手段に表示する旨の表示要求情報を獲得し、獲得した番組画面情報若しくは広告画面情報をテレビ画面手段に表示するためのテレビ画面情報を生成し、生成したテレビ画面情報をテレビ画面手段に表示し、前記表示要求情報を獲得したと判断すると、さらに、前記広告識別情報をテレビ画面手段に表示するためのテレビ画面情報を生成し、前記第２のテレビ受像装置は、前記番組画面情報を獲得し、前記広告画面情報を獲得し、獲得した番組画面情報若しくは広告画面情報をテレビ画面手段に表示するためのテレビ画面情報を生成し、生成したテレビ画面情報をテレビ画面手段に表示する。
【００３２】
これにより、ユーザが望むときのみ、ネットワークを介して獲得した広告情報識別情報を表示させることができる。
【００３３】
本発明に係るテレビ受像装置、テレビ受像プログラムでは、放送情報を獲得し、獲得した放送情報から画面情報を抽出し、獲得した放送情報から広告識別情報を抽出し、広告識別情報をテレビ画面手段に表示する旨の表示要求情報を獲得し、抽出した画面情報をテレビ画面手段に表示するためのテレビ画面情報を生成し、生成したテレビ画面情報をテレビ画面手段に表示し、前記表示要求情報を獲得したと判断すると、前記画面情報及び前記広告識別情報をテレビ画面手段に表示するためのテレビ画面情報を生成する。
【００３４】
これにより、ユーザが望むときのみ、放送情報から抽出した広告情報識別情報を表示させることができる。
【００３５】
本発明に係るテレビ受像装置、テレビ受像プログラムでは、前記番組画面情報を獲し、前記広告画面情報を獲得し、前記広告識別情報を獲得し、前記広告識別情報をテレビ画面手段に表示する旨の表示要求情報を獲得し、獲得した番組画面情報若しくは広告画面情報をテレビ画面手段に表示するためのテレビ画面情報を生成し、生成したテレビ画面情報をテレビ画面手段に表示し、前記表示要求情報を獲得したと判断すると、さらに、前記広告識別情報をテレビ画面手段に表示するためのテレビ画面情報を生成する。
【００３６】
これにより、ユーザが望むときのみ、ネットワークを介して獲得した広告情報識別情報を表示させることができる。
【００３７】
本発明に係る広告システムでは、第１のテレビ受像装置は、放送情報を獲得し、獲得した放送情報から広告識別情報を抽出し、抽出した広告識別情報をテレビ画面手段に表示するためのテレビ画面情報を生成し、生成したテレビ画面情報をテレビ画面手段に表示し、さらに、第２のテレビ受像装置の画面情報抽出手段が抽出する画面情報の種類の変更を指示する変更情報を送出し、前記変更情報を送出した後は、種類変更後の画面情報に対応する広告識別情報を抽出し、前記変更情報を送出する前に抽出した広告識別情報及び前記変更情報を送出した後に抽出した広告識別情報に基づき前記テレビ画面情報を生成し、第２のテレビ受像装置は、前記放送情報を獲得し、獲得した放送情報から画面情報を抽出し、抽出した画面情報をテレビ画面手段に表示するためのテレビ画面情報を生成し、生成したテレビ画面情報をテレビ画面手段に表示し、前記変更情報を獲得し、獲得した変更情報に対応する画面情報を放送情報から抽出する。
【００３８】
これにより、放送情報から抽出する画面情報の種類を変更した後であっても、変更前に表示された広告をユーザに識別させることができる。つまり、放送情報から抽出する画面情報の種類の変更を意識させることなく、ユーザに広告を識別させることができる。
【００３９】
本発明に係る広告システムでは、前記第１のテレビ受像装置は、前記広告識別情報を獲得し、獲得した広告識別情報をテレビ画面手段に表示するためのテレビ画面情報を生成し、生成したテレビ画面情報をテレビ画面手段に表示し、前記第２のテレビ受像装置は、前記番組画面情報を獲得し、前記広告画面情報を獲得し、獲得した番組画面情報若しくは広告画面情報をテレビ画面手段に表示するためのテレビ画面情報を生成し、生成したテレビ画面情報をテレビ画面手段に表示し、前記第１のテレビ受像装置は、さらに、前記第２のテレビ受像装置の画面情報抽出手段が抽出する画面情報の種類の変更を指示する変更情報を送出し、前記第１のテレビ受像装置は、さらに、前記変更情報を送出した後は、種類変更後にテレビ画面手段に表示される広告画面情報に対応する広告識別情報を獲得し、前記第１のテレビ受像装置は、さらに、前記変更情報を送出する前に獲得した広告識別情報及び前記変更情報を送出した後に獲得した広告識別情報に基づき前記テレビ画面情報を生成し、前記第２のテレビ受像装置は、さらに、前記変更情報を獲得し、前記第２のテレビ受像装置は、さらに、前記変更情報に対応する番組画面情報を獲得し、前記第２のテレビ受像装置は、さらに、前記変更情報に対応する広告画面情報を獲得する。
【００４０】
これにより、ネットワークを介して獲得する画面情報の種類を変更した後であっても、変更前に表示された広告をユーザに識別させることができる。つまり、ネットワークを介して獲得する画面情報の種類の変更を意識させることなく、ユーザに広告を識別させることができる。
【００４１】
本発明に係る広告システムでは、前記第１のテレビ受像装置は、さらに、獲得した放送情報から画面情報を抽出し、抽出した画面情報及び広告識別情報をテレビ画面手段に表示するためのテレビ画面情報を生成する。
【００４２】
これにより、放送情報から抽出する画面情報の種類の変更後の画面情報とともに、変更前の広告識別情報も表示することができる。従って、放送情報から抽出する画面情報の種類の変更を意識させることなく、ユーザに広告を識別させることができる。
【００４３】
本発明に係るテレビ受像装置、テレビ受像プログラムでは、放送情報を獲得し、獲得した放送情報から広告識別情報を抽出し、抽出した広告識別情報をテレビ画面手段に表示するためのテレビ画面情報を生成し、生成したテレビ画面情報をテレビ画面手段に表示し、さらに、第２のテレビ受像装置の画面情報抽出手段が抽出する画面情報の種類の変更を指示する変更情報を送出し、前記変更情報を送出した後は、種類変更後の画面情報に対応する広告識別情報を抽出し、前記変更情報を送出する前に抽出した広告識別情報及び前記変更情報を送出した後に抽出した広告識別情報に基づき前記テレビ画面情報を生成する。
【００４４】
これにより、放送情報から抽出する画面情報の種類を変更した後であっても、変更前に表示された広告をユーザに識別させることができる。つまり、放送情報から抽出する画面情報の種類の変更を意識させることなく、ユーザに広告を識別させることができる。
【００４５】
本発明に係るテレビ受像装置、テレビ受像プログラムでは、前記広告識別情報を獲得し、獲得した広告識別情報をテレビ画面手段に表示するためのテレビ画面情報を生成し、生成したテレビ画面情報をテレビ画面手段に表示し、他のテレビ受像装置において表示される番組画面情報若しくは広告画面情報の種類の変更を指示する変更情報を送出し、さらに、前記変更情報を送出した後は、種類変更後にテレビ画面手段に表示される広告画面情報に対応する広告識別情報を獲得し、さらに、前記変更情報を送出する前に獲得した広告識別情報及び前記変更情報を送出した後に獲得した広告識別情報に基づき前記テレビ画面情報を生成する。
【００４６】
これにより、ネットワークを介して獲得する画面情報の種類を変更した後であっても、変更前に表示された広告をユーザに識別させることができる。つまり、ネットワークを介して獲得する画面情報の種類の変更を意識させることなく、ユーザに広告を識別させることができる。
【００４７】
本発明に係るテレビ受像装置、テレビ受像プログラムでは、さらに、獲得した放送情報から画面情報を抽出し、抽出した画面情報及び広告識別情報をテレビ画面手段に表示するためのテレビ画面情報を生成する。
【００４８】
これにより、抽出する画面情報の種類の変更後の画面情報とともに、変更前の広告識別情報も表示することができる。従って、抽出する画面情報の種類の変更を意識させることなく、ユーザに広告を識別させることができる。
【００４９】
本発明に係る広告システムは、広告表示装置は、前記広告画面情報を記憶する広告画面情報記憶手段、前記広告画面情報に対応する広告識別情報を記憶する広告識別情報記憶手段、前記広告識別情報の獲得を要求する広告識別要求情報を獲得する広告識別要求獲得手段、前記広告識別要求情報を獲得すると、対応する広告識別情報を提供する広告識別情報提供手段、前記広告画面情報を画面手段に表示するための画面情報を生成する画面情報生成手段、生成した画面情報を画面手段に表示する表示制御手段、を有し、広告識別情報収集装置は、前記広告識別要求情報を提供する広告識別要求提供手段、前記広告識別情報を獲得する広告識別情報獲得手段、獲得した広告識別情報を記憶する広告識別情報記憶手段、広告識別情報記憶手段に記憶した広告識別情報を画面手段に表示するための画面情報を生成する画面情報生成手段、生成した画面情報を画面手段に表示する表示制御手段を有し、前記画面情報生成手段は、前記広告識別情報を複数テレビ画面手段に表示する画面情報を生成する。
【００５０】
これにより、広告識別情報収集装置のユーザは、街角等見た広告についての情報を収集することができる。従って、後から、広告に関する必要な情報を獲得することも可能となる。
【００５１】
ここで、請求項に記載されている要素と実施例における要素との対応関係を示す。第１のテレビ受像装置は携帯電話１１に、第２のテレビ受像装置はテレビ受像装置１３に、広告情報提供装置は広告情報配信サーバ１７に、それぞれ該当する。
【００５２】
第１のテレビ受像装置及びテレビ受像装置において、放送情報獲得手段はＣＰＵ１１１及び地上デジタル放送チューナ回路１１３に、画面情報抽出手段はＣＰＵ１１１及び地上デジタル放送チューナ回路１１３に、広告識別情報抽出手段はＣＰＵ１１１及び地上デジタル放送チューナ回路１１３に、テレビ画面情報生成手段はＣＰＵ１１１及びメモリ１１２に、表示制御手段はＣＰＵ１１１及びメモリ１１２に、テレビ画面手段はディスプレイ１１５に、それぞれ該当する。
【００５３】
また、第１のテレビ受像装置及びテレビ受像装置において、選択情報獲得手段はＣＰＵ１１１及びキーボード１１４に、要求情報送信手段はＣＰＵ１１１及び携帯電話用通信制御回路１１７に、広告情報獲得手段はＣＰＵ１１１及び携帯電話用通信制御回路１１７に、それぞれ該当する。
【００５４】
さらに、第１のテレビ受像装置及びテレビ受像装置において、表示要求情報獲得手段はＣＰＵ１１１及びキーボード１１４に、変更情報送出手段はＣＰＵ１１１及び赤外線回路１１８に、それぞれ該当する。
【００５５】
さらに、第１のテレビ受像装置及びテレビ受像装置において、番組画面情報獲得手段はＣＰＵ１１１及びネットワーク用通信回路３１３に、広告画面情報獲得手段はＣＰＵ１１１及びネットワーク用通信回路３１３に、広告識別情報獲得手段はＣＰＵ１１１及びネットワーク用通信回路３１３に、それぞれ該当する。
【００５６】
第２のテレビ受像装置において、放送情報獲得手段はＣＰＵ１３１及びチューナ１３４に、画面情報抽出手段はＣＰＵ１３１及びＴＳデコーダ１３５に、テレビ画面情報生成手段はＣＰＵ１３１、メモリ１３２、ＡＶデコーダ１３６及び映像合成回路１３７に、表示制御手段はＣＰＵ１３１及びメモリ１３２に、テレビ画面手段はディスプレイ１３９に、変更情報獲得手段は赤外線回路１４０に、それぞれ該当する。
【００５７】
また、第２のテレビ受像装置において、番組画面情報獲得手段はＣＰＵ１３１及びネットワーク用通信回路３３４に、広告画面情報獲得手段はＣＰＵ１３１及びネットワーク用通信回路３３４に、テレビ画面情報生成手段はＣＰＵ１３１、メモリ１３２に、表示制御手段はＣＰＵ１３１及びメモリ１３２に、テレビ画面手段はディスプレイ１３９に、変更情報獲得手段は赤外線回路１４０に、それぞれ該当する。
【００５８】
第１のテレビ受像装置及びテレビ受像装置において、放送情報獲得手段はステップＳ１４０５〜Ｓ１４０９の処理を、画面情報抽出手段はステップＳ１４１１〜Ｓ１４１７の処理を、広告識別情報抽出手段はステップＳ１４１１〜Ｓ１４１５、Ｓ１４１９の処理を、テレビ画面情報生成手段はステップＳ１４２１〜Ｓ１４２３、Ｓ１７１９〜Ｓ１７２７、Ｓ１５２１、Ｓ１５２５の処理を、表示制御手段はステップＳ１４２５の処理を、それぞれ実行する。
【００５９】
また、第１のテレビ受像装置及びテレビ受像装置において、選択情報獲得手段はステップＳ１７０１の処理を、要求情報送信手段はステップＳ１７０３〜Ｓ１７０７の処理を、広告情報獲得手段はステップＳ１７１１の処理を、それぞれ実行する。
【００６０】
さらに、第１のテレビ受像装置及びテレビ受像装置において、表示要求情報獲得手段はステップＳ１５２３の処理を、変更情報送出手段はステップＳ１７０３〜Ｓ１７０７の処理を、それぞれ実行する。
【００６１】
さらに、第１のテレビ受像装置及びテレビ受像装置において、番組画面情報獲得手段はステップＳ３７０５〜Ｓ３７０９の処理を、広告画面情報獲得手段はステップＳ３７０５〜Ｓ３７０９の処理を、広告識別情報獲得手段はステップＳ３７０５〜Ｓ３７０９の処理を、テレビ画面情報生成手段はステップＳ３７１１〜Ｓ３７１５の処理を、表示制御手段はステップＳ３７１７の処理を、それぞれ実行する。
【００６２】
第２のテレビ受像装置において、放送情報獲得手段はステップＳ１３０５〜Ｓ１３０９の処理を、画面情報抽出手段はステップＳ１３１１〜Ｓ１３１７の処理を、テレビ画面情報生成手段はステップＳ１３２３の処理を、表示制御手段はステップＳ１３２５の処理を、それぞれ実行する。
【００６３】
また、第２のテレビ受像装置において、番組画面情報獲得手段はステップＳ３８０３〜Ｓ３８０７の処理を、広告画面情報獲得手段はステップＳ３８０３〜Ｓ３８０７の処理を、テレビ画面情報生成手段はステップＳ３８０９〜Ｓ３８１１の処理を、表示制御手段はステップＳ３８１３の処理を、それぞれ実行する。
【００６４】
放送情報はコンテンツに、画面情報生成は映像広告原稿及び映像原稿に、広告識別情報はデータ放送原稿に含まれる広告アイコンに、広告情報は広告情報配信サーバ１７が有する広告情報に、選択情報は広告アイコンが選択された旨を示す選択情報に、表示要求情報は表示ボタンＢ１１が選択されたことによる広告アイコンを表示する旨の表示要求情報に、変更情報はチャンネルを変更する旨のチャンネル変更情報に、それぞれ該当する。
【００６５】
また、番組画面情報は、映像原稿、コンテンツ配信サーバ６１が有するコンテンツに、広告画面情報とは、映像広告原稿、ＣＭ配信サーバ６３が有する広告データに、ぞれぞれ対応する。
【００６６】
「画面情報の種類」とは、共通若しくは一連の性質をもつものごとに画面情報を分けたそれぞれの組をいう。実施例においては、トランスポートストリームＴＳ１に多重化されている複数のサービス（地上波放送のチャネル）が種類に該当する。
【００６７】
また、広告表示装置は広告表示装置７５に、広告識別情報収集装置は、携帯電話７１に、それぞれ対応する。さらに、広告画面情報記憶手段はメモリ７５２に、広告識別情報記憶手段はメモリ７５２に、広告識別要求獲得手段はＣＰＵ７５１及び近距離無線通信制御回路７５８に、広告識別情報提供手段はＣＰＵ７５１及び近距離無線通信制御回路７５８に、画面情報生成手段はＣＰＵ７５１及びメモリ７５２に、表示制御手段はＣＰＵ７５１及びメモリ７５２に、画面手段はＬＣＤ７５６に、それぞれ対応する。
【００６８】
さらに、広告識別要求提供手段Ｍ７２３はＣＰＵ１１１及び近距離無線通信制御回路７１３に、広告識別情報獲得手段はＣＰＵ１１１及び近距離無線通信制御回路７１３に、広告識別情報記憶手段はＣＰＵ１１１及びメモリ１１２に、画面情報生成手段はＣＰＵ１１１及びメモリ１１２に、表示制御手段はＣＰＵ１１１及びメモリ１１２に、及び画面手段はディスプレイ１１６に、それぞれ対応する。
【００６９】
また、広告識別要求獲得手段はステップＳ５８１１の処理を、広告識別情報提供手段はステップＳ５８１３、Ｓ５８１５の処理を、それぞれ実行する。
【００７０】
さらに、広告識別要求提供手段はステップＳ５８０１の処理を、広告識別情報獲得手段はステップＳ５８０３の処理を、広告識別情報記憶手段はステップＳ５８０５の処理を、画面情報生成手段及び表示制御手段はステップＳ５８０７の処理を、それぞれ実行する。
【図面の簡単な説明】
【００７１】
【図１】本発明における実施例１に係る広告システムの機能ブロック図を示した図である。
【図２】広告システムのハードウェア構成を示した図である。
【図３】図２における携帯電話１１のハードウェア構成を示した図である。
【図４】図２におけるテレビ受像装置１３のハードウェア構成を示した図である。
【図５】図２における放送システム１５のハードウェア構成を示した図である。
【図６】図２における広告情報提供サーバ１７のハードウェア構成を示した図である。
【図７】データ放送原稿のデータ構造の一例を示した図である。
【図８】広告送出スケジュール、データ送出スケジュールの一例を示した図である。
【図９】広告情報ＤＢの一例を示した図である。
【図１０】デジタルテレビ放送の概念図である。
【図１１】デジタルテレビ放送におけるパケット化の様子を示した図である。
【図１２】コンテンツ放送処理を示したフローチャートである。
【図１３】携帯電話１１のテレビ画面表示処理を示したフローチャートである。
【図１４】携帯電話１１のテレビ画面表示処理を示したフローチャートである。
【図１５】広告アイコンが表示された携帯電話１１のディスプレイ１１５を示す図である。
【図１６】テレビ受像装置１３のテレビ画面表示処理を示したフローチャートである。
【図１７】テレビ受像装置１３のテレビ画面表示処理を示したフローチャートである。
【図１８】広告情報取得処理を示したフローチャートである。
【図１９】広告情報取得処理を示したフローチャートである。
【図２０】広告情報が表示された携帯電話１１のディスプレイ１１５を示す図である。
【図２１】本発明における実施例２に係る広告システムの機能ブロック図を示した図である。
【図２２】広告送出スケジュール、データ送出スケジュールの一例を示した図である。
【図２３】広告アイコンが表示された携帯電話１１のディスプレイ１１５を示す図である。
【図２４】本発明における実施例３に係る広告システムの機能ブロック図を示した図である。
【図２５】携帯電話１１のテレビ画面表示処理を示したフローチャートである。
【図２６】表示ボタンＢ１１が表示された携帯電話１１のディスプレイ１１５を示す図である。
【図２７】本発明における実施例４に係る広告システムの機能ブロック図を示した図である。
【図２８】携帯電話１１のテレビ画面表示処理を示したフローチャートである。
【図２９】チャンネル変更処理を示したフローチャートである。
【図３０】リモコンアプリケーションが動作した携帯電話１１のディスプレイ１１５を示す図である。
【図３１】従来の広告システムを説明するための図である。
【図３１ａ】本発明における実施例５に係る広告システムの機能ブロック図を示した図である。
【図３２】広告システム３のハードウェア構成を示した図である。
【図３３】携帯電話３１のハードウェア構成を示した図である。
【図３４】テレビ受像装置３３のハードウェア構成を示した図である。
【図３５】放送システム３５のハードウェア構成を示した図である。
【図３６】データ放送処理を示したフローチャートである。
【図３７】携帯電話３１のテレビ画面表示処理を示したフローチャートである。
【図３８】テレビ受像装置３３のテレビ画面表示処理を示したフローチャートである。
【図３９】広告システム５のハードウェア構成を示した図である。
【図４０】コンテンツ管理サーバ５１のハードウェア構成を示した図である。
【図４１】ＣＭ管理サーバ５３のハードウェア構成を示した図である。
【図４２】広告アイコンサーバ５５のハードウェア構成を示した図である。
【図４３】配信制御サーバ５７のハードウェア構成を示した図である。
【図４４】コンテンツＤＢの一例を示した図である。
【図４５】ＣＭデータＤＢの一例を示した図である。
【図４６】広告アイコンデータＤＢの一例を示した図である。
【図４７】番組ＤＢの一例を示した図である。
【図４８】番組放送スケジュールＤＢの一例を示した図である。
【図４９】配信制御サーバ５７の動作を示したフローチャートである。
【図５０】配信制御サーバ５７の動作を示したフローチャートである。
【図５１】コンテンツ管理サーバ５１の動作を示したフローチャートである。
【図５２】ＣＭデータ管理サーバ５３の動作を示したフローチャートである。
【図５３】広告アイコンサーバ５５の動作を示したフローチャートである。
【図５３ａ】本発明における実施例７に係る広告システムの機能ブロック図を示した図である。
【図５４】広告システム７のハードウェア構成を示した図である。
【図５５】携帯電話７１のハードウェア構成を示した図である。
【図５６】高校表示装置７５のハードウェア構成を示した図である。
【図５７】広告アイコン取得処理を示したフローチャートである。
【図５８】広告情報取得処理を示したフローチャートである。
【図５９】携帯電話において広告アイコンを表示する際の他の形態を示した図である。
【発明を実施するための形態】
【００７２】
本発明における広告システムの実施例を以下において説明する。
【実施例１】
【００７３】
1.概要
本実施例における携帯電話１１は、過去にデジタルテレビ放送された広告に関する広告アイコンを複数、ディスプレイ１１５に表示するものである。これにより、携帯電話１１のユーザにおける広告情報の取得機会の時間的拡張が容易に可能となる。
【００７４】
2.広告システムの機能
本発明に係る広告システム１の機能を図１に示す機能ブロック図に基づき説明する。広告システム１は、第１のテレビ受像装置Ｍ１１０、第２のテレビ受像装置Ｍ１２０、及び広告情報提供装置Ｍ１３０を有している。第１のテレビ受像装置Ｍ１１０及び第２のテレビ受像装置Ｍ１２０は、番組及び広告をテレビ画面手段に表示するための画面情報及び広告を識別する広告識別情報を含む放送情報を獲得し、自らのテレビ画面手段に前記画面情報を表示する。
【００７５】
第１のテレビ受像装置Ｍ１１０は、放送情報獲得手段Ｍ１１１、画面情報抽出手段Ｍ１１２、広告識別情報抽出手段Ｍ１１３、テレビ画面情報生成手段Ｍ１１４、表示制御手段Ｍ１１５、表示手段Ｍ１１６、選択情報獲得手段Ｍ１１７、要求情報送出手段Ｍ１１８、及び広告情報獲得手段Ｍ１１９を有している。
【００７６】
放送情報獲得手段Ｍ１１１は、放送情報を獲得する。画面情報抽出手段Ｍ１１２は、獲得した放送情報から画面情報を抽出する。広告識別情報抽出手段Ｍ１１３は、獲得した放送情報から広告識別情報を抽出する。
【００７７】
テレビ画面情報生成手段Ｍ１１４は、抽出した画面情報及び広告識別情報をテレビ画面手段に表示するためのテレビ画面情報を生成する。また、テレビ画面情報生成手段Ｍ１１４は、広告識別情報を複数テレビ画面手段に表示するテレビ画面情報を生成する。さらに、テレビ画面情報生成手段Ｍ１１４は、画面情報及び広告情報をテレビ画面手段に表示するためのテレビ画面情報を生成する。さらに、テレビ画面情報生成手段Ｍ１１４は、獲得した放送情報において、テレビ画面手段に表示した広告に関する広告識別情報を表示するテレビ画面情報を生成する。
【００７８】
表示制御手段Ｍ１１５は、生成したテレビ画面情報をテレビ画面手段に表示する。
【００７９】
選択情報獲得手段Ｍ１１７は、テレビ画面手段に表示した広告識別情報を選択する旨の選択情報を獲得する。要求情報送出手段Ｍ１１８は、獲得した選択情報に対応する広告情報の取得を要求する旨の要求情報を送出する。広告情報獲得手段Ｍ１１９は、要求情報に対応する広告情報を広告提供装置Ｍ１３０から獲得する。
【００８０】
第２のテレビ受像装置Ｍ１２０は、放送情報獲得手段Ｍ１２１、画面情報抽出手段Ｍ１２３、テレビ画面情報生成手段Ｍ１２４、表示制御手段Ｍ１２５、及び表示手段Ｍ１２６を有している。
【００８１】
放送情報獲得手段Ｍ１２１は、放送情報を獲得する。画面情報抽出手段Ｍ１２３は、獲得した放送情報から画面情報を抽出する。テレビ画面情報生成手段Ｍ１２４は、抽出した画面情報をテレビ画面手段に表示するためのテレビ画面情報を生成する。表示制御手段Ｍ１２５は、生成したテレビ画面情報をテレビ画面手段に表示する。
【００８２】
広告情報提供装置Ｍ１３０は、広告に関する広告情報を提供する。
【００８３】
これにより、テレビ画面手段に表示された広告についての広告識別情報を、当該テレビ画面手段に複数表示することができる。つまり、実際に広告が表示された時間にユーザがその広告を見ていなくとも、ユーザに表示された広告を識別させることができる。また、表示された広告について、ユーザが広告情報を得る機会を容易に与えることができる。つまり、ユーザにおける広告情報の取得機会の時間的拡張を行うことが可能となる。さらに、既に表示された広告について、ユーザに容易に識別させることができる。つまり、既に表示された広告について、ユーザにおける広告情報の取得機会の時間的拡張を行うことが可能となる。
【００８４】
3.  ハードウェア構成
3.1.  広告システム１のハードウェア構成
広告システム１のハードウェア構成を図２を用いて説明する。広告システム１は、携帯電話１１、テレビ受像装置１３、放送システム１５及び広告配信サーバ１７を有している。
【００８５】
放送システム１５は、番組及び広告をテレビ画面に表示するための映像広告原稿（後述）若しくは映像原稿（後述）、及び前記映像広告原稿（後述）における広告を識別する広告アイコンを含むデータ放送原稿によって構成されるコンテンツをデジタル放送用にトランスポート・ストリーム化して、送信する。
【００８６】
携帯電話１１は、放送システム１５がトランスポート・ストリーム化して送信するコンテンツを獲得し、自らのテレビ画面に映像広告原稿及び映像原稿を表示する。さらに、携帯電話１１は、データ放送原稿に含まれる広告アイコンを複数テレビ画面に表示する。
【００８７】
テレビ受像装置１３は、放送システム１５がトランスポート・ストリーム化して送信するコンテンツを獲得し、自らのテレビ画面に映像広告原稿及び映像原稿を表示する。
【００８８】
なお、携帯電話１１及びテレビ受像装置１３は、携帯・移動受信向け地上デジタルテレビジョン１セグメント放送を受信することができる。
【００８９】
広告配信サーバ１７は、携帯電話１１からの求めに応じて、広告に関する広告情報（後述）を提供する。
【００９０】
以下において、携帯電話１１、テレビ受像装置１３、放送システム１５、及び広告情報配信サーバ１７のハードウェア構成を説明する。
【００９１】
3.2.  携帯電話１１のハードウェア構成
携帯電話１１のハードウェア構成を図３に基づいて説明する。携帯電話１１は、ＣＰＵ１１１、メモリ１１２、地上デジタル放送チューナ回路１１３、キーボード１１４、スピーカ１１５、ディスプレイ１１６及び携帯電話通信制御回路１１７を備えている。
【００９２】
ＣＰＵ１１１は、メモリ１１２に記録されているオペレーティング・システム（ＯＳ）、放送視聴アプリケーション、携帯電話アプリケーション等その他のアプリケーションに基づいた処理を行う。なお、放送視聴アプリケーションとしては、放送ストリーム制御アプリケーション、ＡＶデコーダやデータ放送用ブラウザ等がある。また、携帯電話アプリケーションとしては、音声通話アプリケーション、ｗｅｂブラウザ等がある。
【００９３】
メモリ１１２は、ＣＰＵ２１１に対して作業領域を提供する。また、メモリ１１２は、ＯＳ、放送視聴アプリケーション、携帯電話アプリケーション等のアプリケーション・プログラム、及び携帯電話を一意に特定する携帯電話ＩＤを記録保持している。
【００９４】
地上デジタル放送チューナ回路１１３は、内蔵するチューナを介してトランスポート・ストリームを受信し、内蔵するＴＳデコーダによって、各エレメンタリー・ストリームを抽出する。
【００９５】
キーボード１１４は、外部からの命令を受け付ける。スピーカー１１５は、音声データを外部に出力する。ディスプレイ１１６は、テレビ放送やデータ放送、及びユーザーインターフェイス等の画像を表示する。携帯電話通信制御回路１１７は、携帯電話通信回線を利用した電話及びデータの送受信を実現する。
【００９６】
3.3.  テレビ受像装置１３のハードウェア構成
テレビ受像装置１３のハードウェア構成を図４に基づいて説明する。テレビ受像装置１３は、ＣＰＵ１３１、メモリ１３２、ＲＯＭ１３３、チューナ１３４、ＴＳデコーダ１３５、ＡＶデコーダ１３６、映像合成回路１３７、スピーカ１３８、及びディスプレイ１３９を有している。
【００９７】
ＣＰＵ１３１は、ＲＯＭ１３３に記録されているオペレーティング・システム（ＯＳ）、テレビ受像装置プログラム等その他のアプリケーションに基づき、各構成要素を制御し、所定の処理を行う。メモリ１３２は、書き換え可能に構成されており、ＣＰＵ１３１に作業領域を提供するとともに、一時的に情報を記録する。ＲＯＭ１３３は、ＯＳ、及び受信処理、記録処理、再生処理を実行させるためのテレビ受像装置プログラム等のアプリケーション・プログラムを記録・保持している。
【００９８】
チューナ１３４は、送られてくるトランスポートストリムを選択的に受信する。ＴＳデコーダ部１３５は、チューナ１３４から出力されるトランスポートストリーム中から、所望のサービスに関する映像や音声データのパケットを分離する。ＡＶデコーダ部１３６は、ＣＰＵ１３１の指示にしたがって、この映像や音声データの圧縮を解凍（伸張）する。映像合成回路１３７は、ＡＶデコーダ部１３６が復号した画像データに基づいて、テレビ画面情報を生成する。スピーカ１３８は、ＡＶデコーダ部１３６が復号した音声データに基づいた音声を発生する。ディスプレイ１３９は、テレビ画面情報に基づいた映像を表示する。
【００９９】
3.4.  放送システム１５のハードウェア構成
放送システム１５のハードウェア構成を図５に基づいて説明する。放送システム１５は、ＣＭサーバ１５ａ、番組サーバ１５ｂ、データ放送原稿サーバ１５ｃ、及び放送装置１５ｄにより構成されている。
【０１００】
ＣＭサーバ１５ａは、メモリやハードディスク等の記憶手段に映像広告原稿（後述）を有している。また、ＣＭサーバ１５ａは、記憶手段に広告送出スケジュール（後述）を記憶している。
【０１０１】
番組サーバ１５ｂは、メモリやハードディスク等の記憶手段に映像原稿（後述）を有している。また、番組サーバ１５ｂは、記憶手段に番組送出スケジュール（後述）を記憶している。
【０１０２】
データ放送原稿サーバ１５ｃは、メモリやハードディスク等の記憶手段にデータ放送原稿（後述）を有している。また、データ放送原稿サーバ１５ｄは、記憶手段にデータ送出スケジュール（後述）を記憶している。
【０１０３】
放送装置１５ｄは、ＣＭサーバ１５ａから映像広告原稿を、番組サーバ１５ｂから映像広告を、データ放送原稿サーバ１５ｃからデータ放送原稿をそれぞれ獲得し、符号化した後、映像広告原稿、映像原稿及びデータ放送原稿それぞれのエレメンタリー・ストリーム（ＥＳ）を各サービス（図    参照）毎に生成する。そして、生成したエレメンタリー・ストリームをパケット化して多重化する。
【０１０４】
さらに、放送装置１５ｄは、パケット多重化のための制御データも生成する。パケット多重化のための制御データは、時分割してパケット化された複数のサービスの映像／音声データ、データ放送原稿用のデータを正しく識別するためのデータである。放送装置１５ｄは、制御データとともにパケット化され多重化された映像／音声データ及びデータ放送原稿（コンテンツ）を用いてトランスポートストリームを生成し、送信する。
【０１０５】
3.5.  広告情報配信サーバ１７のハードウェア構成
広告情報配信サーバ１７のハードウェア構成を図６に基づいて説明する。広告情報配信サーバ１７は、ＣＰＵ１７１、メモリ１７２、ハードディスク１７３及び通信回路１７８を備えている。また広告情報配信サーバ１７には、キーボード１７４、マウス１７５、ディスプレイ１７６、ＣＤ−ＲＯＭドライブ１７７が接続されている。
【０１０６】
ＣＰＵ１７１は、ハードディスク１７３に記録されているオペレーティング・システム（ＯＳ）、広告情報配信サーバプログラム等その他のアプリケーションに基づいた処理を行う。メモリ１７２は、ＣＰＵ１７１に対して作業領域を提供する。ハードディスク１７３は、オペレーティング・システム（ＯＳ）、広告情報配信サーバプログラム等その他のアプリケーション及び広告情報等の各種データを記録保持する。なお、ハードディスク１７３に記録されている広告情報については後述する。通信回路１７８は、ネットワークに接続する通信回路を有しており、携帯電話１１等の外部の通信機器とデータの送受信を行う。
【０１０７】
キーボード１７４、マウス１７５は、外部からの命令を受け付ける。ディスプレイ１７６は、ユーザーインターフェイス等の画像を表示する。ＣＤ−ＲＯＭドライブ１７７は、広告情報配信サーバプログラムが記録されているＣＤ−ＲＯＭ１７９から広告情報配信サーバプログラム及び他のＣＤ−ＲＯＭからその他のアプリケーションのプログラムを読み取る等、ＣＤ−ＲＯＭからのデータの読み取りを行う。
【０１０８】
4.  データ
ＣＭサーバ１５ａが有する映像広告原稿及び広告送出スケジュール、番組サーバ１５ｂが有する映像原稿及び番組送出スケジュール、データ放送原稿サーバ１５ｃが有するデータ放送原稿及びデータ送出スケジュール、広告情報配信サーバ１７が有する広告情報を以下において説明する。
【０１０９】
4.1.  映像広告原稿及び映像原稿
映像広告原稿とは、テレビ放送の一部として放送される広告（ＣＭ）用のデータをいう。映像原稿とは、テレビ放送の一部として放送される番組用のデータをいう。映像広告原稿及び映像広告は、映像データ、音声データ等から構成されている。
【０１１０】
4.2.  データ放送原稿
データ放送原稿とは、映像広告原稿若しくは映像原稿の映像データとともにテレビ画面に表示されるデータをいう。データ放送原稿について図７を用いて説明する。データ放送原稿は、広告アイコン、広告アイコン操作情報、及び映像広告ＩＤを有している。
【０１１１】
広告アイコンは、テレビ画面に表示されるアイコンであり、映像広告原稿を特定する。広告アイコンは、ＡＲＩＢによって規定されている放送に用いることができる文字、図形、静止画像等によって構成されている。
【０１１２】
広告アイコン操作情報は、広告アイコンが選択された場合のテレビ受像装置１３等の動作を記述したものである。広告アイコン操作情報は、ＡＲＩＢによって規定されているＥＣＭＡＳｃｒｉｐｔによって記述されている。
【０１１３】
映像広告ＩＤとは、映像広告原稿を特定する識別子である。映像広告ＩＤは、映像広告原稿を特定する１０桁のコードであって、共通コード管理センターによって管理されているコードにより構成されている。
【０１１４】
広告アイコン、広告アイコン操作情報、及び映像広告ＩＤは、ＢＭＬオーサリングによって、データ放送原稿となる。
【０１１５】
4.3.  広告送出スケジュール、番組送出スケジュール、データ送出スケジュール
広告放送スケジュールとは、映像広告原稿とその送出時間とが関連付けて記述されているデータである。番組送出スケジュールとは、映像原稿とその送出時間とが関連付けて記述されているデータである。データ送出スケジュールとは、データ放送原稿とその送出時間とが関連付けて記述されているデータである。
【０１１６】
広告放送スケジュールの一例を図８Ａに、データ送出スケジュールの一例を図８Ｂにそれぞれ示す。図８Ａに示すように、広告放送スケジュールは、［送出時間］列、［映像広告原稿］列を有している。さらに、［送出時間］列は、［月日］列及び［時間列］を有している。［月日］列には、映像広告原稿を送出する月日が、［時間］列には映像広告原稿を送出する時間が、［映像広告原稿］列には送出する映像広告原稿が、それぞれ記述される。また、図８Ｂに示すように、データ放送スケジュールは、［送出時間］列、［データ放送原稿］列を有している。さらに、［送出時間］列は、［月日］列及び［時間列］を有している。［月日］列には、データ放送原稿を送出する月日が、［時間］列にはデータ放送原稿を送出する時間が、［データ放送原稿］列には送出するデータ放送原稿が、それぞれ記述される。
【０１１７】
図８Ａ、Ｂに示すように、広告送出スケジュールに従って送出される映像広告原稿とデータ送出スケジュールに基づいて送出されるデータ放送原稿とは対応しており、映像広告原稿に関するデータ放送原稿が送出されるように、予め広告スケジュール及びデータ送出スケジュールは調整されている。
【０１１８】
4.4.  広告情報
広告情報とは、映像広告原稿に対応する広告に関連する情報である。広告情報は、映像広告原稿では視聴者に伝えられない詳細な情報等をその内容とする。広告情報は、文字情報、図形、静止画像等により構成されており、Ｗｅｂブラウザでの読み取りが可能な構成となっている。
【０１１９】
広告情報は、映像広告ＩＤとの関連付けられて広告情報データベース（以下、広告情報ＤＢとする。）を構成している。広告情報ＤＢは、広告情報提供サーバ１７のハードディスク１７３に記憶されている。広告情報ＤＢの一例を図９に示す。広告情報ＤＢは、［映像広告ＩＤ］列、［広告情報］列を有している。［映像広告ＩＤ］列には、［広告情報］列に記録される広告情報に対応する広告ＩＤが記述される。［広告情報］列には、広告情報がアーカイブ等として記憶される。
【０１２０】
5.  広告システムの動作
広告システムを構成する各構成要素の動作の概要を説明する。放送システム１５は、番組及び広告をテレビ画面に表示するための映像広告原稿若しくは映像原稿、及び前記映像広告原稿における広告を識別する広告アイコンを含むデータ放送原稿によって構成されるコンテンツをデジタル放送用にトランスポート・ストリーム化して送信するコンテンツ放送処理を実行する。
【０１２１】
テレビ受像装置１３は、放送システム１５がトランスポート・ストリーム化して送信するコンテンツを獲得し、自らのテレビ画面に映像広告原稿及び映像原稿を表示するテレビ画面表示処理を実行する。
【０１２２】
携帯電話１１は、放送システム１５がトランスポート・ストリーム化して送信するコンテンツを獲得し、自らのテレビ画面に映像広告原稿及び映像原稿を表示するテレビ画面表示処理を実行する。
【０１２３】
広告配信サーバ１７は、携帯電話１１からの求めに応じて広告に関する広告情報を提供し、携帯電話１１は、獲得した広告情報をテレビ画面に表示する広告情報送受信処理を実行する。
【０１２４】
なお、携帯電話１１は、トランスポート・ストリーム化されたコンテンツを受信する。また、携帯電話１１は、受信したコンテンツから映像広告原稿若しくは映像原稿を映像エレメンタリー・ストリーム、音声エレメンタリー・ストリームとして抽出する。さらに、携帯電話１１は、受信したコンテンツからデータ放送原稿を抽出し、さらに、データ放送原稿に含まれる広告アイコン（後述）を抽出する。さらに、携帯電話１１は、抽出した映像エレメンタリー・ストリーム化及び音声エレメンタリー・ストリーム化された映像広告原稿若しくは映像原稿、及びデータ放送原稿に含まれる広告アイコンに基づいてテレビ画面に表示するテレビ画面情報を生成する。さらに、携帯電話１１は、生成したテレビ画面情報をテレビ画面に表示するテレビ画面情報を生成する。さらに、携帯電話１１は、広告アイコンを複数テレビ画面に表示するテレビ画面情報を生成する。さらに、携帯電話１１は、テレビ画面に表示した広告アイコンのひとつが選択されたと判断すると、当該広告アイコンに対応する広告情報を広告配信サーバ１７から取得する。
【０１２５】
さらに、テレビ受像装置１３は、トランスポート・ストリーム化されたコンテンツを受信する。また、携帯電話１１は、受信したコンテンツから映像広告原稿若しくは映像原稿を映像エレメンタリー・ストリーム、音声エレメンタリー・ストリームとして抽出する。さらに、テレビ受像装置１３は、抽出した映像エレメンタリー・ストリーム化及び音声エレメンタリー・ストリーム化された映像広告原稿若しくは映像原稿に基づいてテレビ画面に表示するテレビ画面情報を生成する。さらに、テレビ受像装置１３は、生成したテレビ画面情報をテレビ画面に表示する。
【０１２６】
以下において、コンテンツ放送処理、テレビ受像装置１３のテレビ画面表示処理、携帯電話１１のテレビ画面表示処理、及び広告情報送受信処理について説明する。
【０１２７】
5.1.  衛星放送システムの概要
まず、衛星放送システムの概要を説明する。図１０に、衛星放送における電波の送出状態を模式化して示す。放送システム１５からの電波は、放送衛星９４を介して地上に向けて送出される。放送衛星９４からは、複数のトランスポートストリームＴＳ１、ＴＳ２、ＴＳ３が送出される。各トランスポートストリーム（ＭＰＥＧ−２）は、周波数、偏波面などによって区別される。
【０１２８】
トランスポートストリームＴＳ１には、複数のサービス（地上波放送のチャネルに相当する）ＳＶ１１、ＳＶ１２、ＳＶ１３、ＳＶ１４がパケット化されて時分割により多重化されている。同様に、トランスポートストリームＴＳ２にはサービスＳＶ２１、ＳＶ２２、ＳＶ２３、ＳＶ２４が多重化され、トランスポートストリームＴＳ３にはサービスＳＶ３１、ＳＶ３２、ＳＶ３３、ＳＶ３４が多重化されている。なお、各トランスポートストリームには、各サービスの映像広告原稿若しくは映像原稿を構成する映像データ、音声データの他、データ放送原稿、現在時刻を示す制御データ、パケット化に伴って必要な制御データ等も送出されている。図１０においては、３つのトランスポートストリームのみが示されているが、実際には、より多くのトランスポートストリームが送出される。さらに、図９においては、各トランスポートストリームについて、４つのサービスが多重化されているが、実際にはより多くのサービスが多重化される。
【０１２９】
次に、トランスポートストリームの構造について図１１を用いて説明する。トランスポートストリームＴＳ１には、サービスＳＶ１１の映像データＥＳ（Ｖ）１、音声データＥＳ（Ａ）１、サービスＳＶ１２の映像データＥＳ（Ｖ）２、音声データＥＳ（Ａ）２、サービスＳＶ１３の映像データＥＳ（Ｖ）３、音声データＥＳ（Ａ）３、サービスＳＶ１４の映像データＥＳ（Ｖ）４、音声データＥＳ（Ａ）４、及び各サービスのデータ放送原稿ＥＳ（Ｄ）が多重化されている。
【０１３０】
さらに、パケット多重化のための制御データＮＩＴ （Network Information Table）、ＰＡＴ（Program Association Table）、ＰＭＴ（Program Map Table）１、ＰＭＴ２、ＰＭＴ３、ＰＭＴ４も多重化されている。これら制御データにより、多重化された各サービスＳＶ１１、ＳＶ１２、ＳＶ１３、ＳＶ１４の映像／音声データ及びデータ放送原稿を分離することができる。
【０１３１】
パケット化は、図１１の縦線１８ａに示すように行われる。つまり、制御データＮＩＴ、ＰＡＴ、ＰＭＴ、ＥＩＴ（Entitlement Information Table）、ＴＤＴ（Time Division Table）、ＥＣＭ（Entitlement Control Message）、映像データＥＳ（Ｖ）、音声データＥＳ（Ａ）、データ放送原稿ＥＳ（Ｄ）の順にパケット化が行われる。データ放送原稿までのパケット化が完了すれば、再び、制御データＮＩＴ以下のパケット化を繰り返す（縦線１８ｂ参照）。
【０１３２】
5.2.  コンテンツ放送処理
映像広告原稿を生成したユーザは、生成した映像広告原稿をＣＭサーバ１５ａへ保存する。映像原稿を生成したユーザは、生成した映像原稿を番組サーバ１５ｂへ保存する。また、映像広告原稿に対応するデータ放送原稿を生成し、ＢＭＬ(Broadcast Markup Language)オーサリングしたユーザは、ＢＭＬオーサリングしたデータ放送原稿をデータ放送原稿サーバ１５ｃへ保存する。なお、映像広告原稿、映像原稿及びデータ放送原稿は、ＣＭサーバ１５ａ、番組サーバ１５ｂ、データ放送原稿サーバ１５ｃおいて、各サーバが有する広告送出スケジュール、番組送出スケジュール、及びデータ送出スケジュールに基づいて時系列順に保存される。
【０１３３】
放送システム１５におけるコンテンツの放送処理について図１２に示すフローチャートを用いて説明する。放送装置１５ｄは、ＣＭサーバ１５ａのハードディスク等の記憶手段に保存している広告送出スケジュール及び番組サーバ１５ｂのハードディスク等の記憶手段に保存している番組送出スケジュールを取得する（Ｓ１５０１）。放送装置１５ｄは、取得した広告送出スケジュール及び番組送出スケジュールに基づいて対応する映像広告原稿をＣＭサーバ１５ａから、若しくは、対応する映像原稿を番組サーバ１５ｂから、それぞれ取得する（Ｓ１５０３）。放送装置１５ｄは、取得した映像広告原稿若しくは映像原稿を映像・音声符号化する（Ｓ１５０５）。
【０１３４】
放送装置１５ｄは、データ放送原稿サーバ１５ｃのハードディスク等の記憶手段に保存しているデータ送出スケジュールを取得する（Ｓ１５０７）。放送装置１５ｄは、取得したデータ送出スケジュールに基づいて対応するデータ放送原稿をデータ放送原稿サーバ１５ｃから取得する（Ｓ１５０９）。放送装置１５ｄは、取得したデータ放送原稿をデータ符号化する（Ｓ１５１１）。
【０１３５】
放送装置１５ｄは、ステップＳ１５０５で映像・音声符号化した映像広告原稿、映像原稿及びステップＳ１５１１でデータ符号化したデータ放送原稿を取得し（Ｓ１５１３）、多重化することによってトランスポート・ストリームを生成する（Ｓ１５１５）。放送装置１５ｄは、生成したトランスポート・ストリームを送出する（Ｓ１５１７）。
【０１３６】
5.3.  携帯電話１１におけるテレビ画面表示処理
携帯電話１１のＣＰＵ１１１が行うテレビ画面表示処理を図１３、図１４に示すフローチャートを用いて説明する。図１３において、ＣＰＵ１１１は、テレビ放送視聴アプリケーションの起動命令があったと判断すると（Ｓ１４０１）、テレビ放送視聴アプリケーションを起動する（Ｓ１４０３）。さらに、ＣＰＵ１１１は、地上デジタル放送チューナー回路１１４（図３参照）におけるチューナーを介して、送信装置１５ｄから送信されたトランスポート・ストリームの受信を開始する（Ｓ１４０５）。
【０１３７】
ＣＰＵ１１１は、チューナーを介してトランスポート・ストリームを受信すると（Ｓ１４０７）、受信したトランスポート・ストリームをメモリ１１２へ保存する（Ｓ１４０９）。そして、ＣＰＵ１１１は、メモリ１１２に保存したトランスポート・ストリームをＴＳデコーダに順次送信する（１４１１）。ＣＰＵ１１１は、ＴＳデコーダを用いて、受信したトランスポート・ストリームをパケット解析する（Ｓ１４１３）。なお、ＣＰＵ１１１は、トランスポート・ストリームから取得した制御データＮＩＴ、ＰＡＴ、ＰＭＴ、ＥＩＴ、ＴＤＴ、ＥＣＭ等を用いてパケット解析を行う。
【０１３８】
ＣＰＵ１１１は、テレビ放送視聴アプリケーションに表示するサービスに対応する映像データＥＳ、音声データＥＳ及びデータ放送原稿ＥＳを抽出する（Ｓ１４１５）。
【０１３９】
図１４に移って、ＣＰＵ１１１は、抽出した映像データＥＳ及び音声データＥＳをメモリ１１２に記録しているＡＶデコーダ・アプリケーションを用いてデコードする（Ｓ１４１７）。一方、ＣＰＵ１１１は、データ放送原稿ＥＳからデータ放送原稿を抽出する（Ｓ１４１９）。ＣＰＵ１１１は、抽出したデータ放送原稿をメモリ１１２の所定の領域に記憶する（Ｓ１４２０）。ＣＰＵ１１１は、記憶に際しては、データ放送原稿を取得した時間と関連付けて記憶する。
【０１４０】
ＣＰＵ１１１は、ＢＭＬブラウザを起動する（Ｓ１４２１）。ＣＰＵ１１１は、ＢＭＬブラウザに表示したデータ放送原稿とステップＳ１４１７でデコードしたテレビ放送視聴アプリケーションに表示した映像データとを統合し、ディスプレイ１１５に表示するためのテレビ画面情報を生成する（Ｓ１４２３）。ＣＰＵ１１１は、データ放送原稿に含まれる広告アイコンをＢＭＬブラウザに表示するにあたって、データ放送原稿と関連付けられている取得時間を取得する。そして、ＣＰＵ１１１は、最も最近に取得したデータ放送原稿から２つ前のデータ放送原稿までの３つの広告アイコンをメモリ１１２から取得し、テレビ画面情報を生成する。ＣＰＵ１１１は、生成したテレビ画面情報をディスプレイ１１５へ表示する（Ｓ１４２５）。
【０１４１】
ＣＰＵ１１１は、テレビ放送視聴アプリケーションが終了されるまで、ステップＳ１４０５（図１３参照）〜ステップＳ１４２５（図１４参照）までの処理を繰り返す（Ｓ１４２７）。
【０１４２】
ここで、ＣＰＵ１１１がステップＳ１４２３で生成するテレビ画像情報の一例を図１５に示す。携帯電話１１のディスプレイ１１５は、映像データを表示するための映像データ表示領域Ａ１及び広告アイコンを表示するための広告アイコン表示領域Ａ３を有している。
【０１４３】
広告アイコン表示領域Ａ３には、映像データ表示領域Ａ１に放送（表示）された広告に対応する広告アイコンＢ１〜Ｂ５が複数表示される。広告アイコンの表示にあたっては、放送された時系列順に表示される。図１５においては、右端に表示されている広告アイコンＢ５に対応する広告Ｃが、最も近時に放送された広告となる。広告Ｃが放送される前は、広告Ｂが、その前には広告Ａが、それぞれ放送されたことになる。なお、図１５においては、最も近時に放送された広告から２つ前に放送された広告までの広告アイコンを表示するようにしている。
【０１４４】
このように、過去の広告アイコンを複数表示することによって、表示された広告について、ユーザが広告情報を得る機会を容易に与えることができので、ユーザにおける広告情報の取得機会の時間的拡張を行うことが可能となる。
【０１４５】
5.4.  テレビ受像装置１３におけるテレビ画面表示処理
テレビ受像装置１３におけるテレビ画面表示処理について図１６、図１７に示すフローチャートを用いて説明する。図１６において、ＣＰＵ１３１は、テレビ受像装置１３の起動命令があったと判断すると（Ｓ１３０１）、チューナ１３４（図４参照）を介して、送信装置１５ｄから送信されたトランスポート・ストリームの受信を開始する（Ｓ１３０５）。
【０１４６】
ＣＰＵ１３１は、チューナ１３４を介してトランスポート・ストリームを受信すると（Ｓ１３０７）、受信したトランスポート・ストリームをメモリ１３２へ保存する（Ｓ１３０９）。そして、ＣＰＵ１３１は、メモリ１３２に保存したトランスポート・ストリームをＴＳデコーダ１３５（図４参照）に順次送信する（１３１１）。ＣＰＵ１１１は、ＴＳデコーダ１３５を用いて、受信したトランスポート・ストリームをパケット解析する（Ｓ１３１３）。なお、ＣＰＵ１３１は、トランスポート・ストリームから取得した制御データＮＩＴ、ＰＡＴ、ＰＭＴ、ＥＩＴ、ＴＤＴ、ＥＣＭ等を用いてパケット解析を行う。
【０１４７】
ＣＰＵ１３１は、ディスプレイ１３９に表示するサービス（チャンネル）に対応する映像データＥＳ、音声データＥＳ及びデータ放送原稿ＥＳを抽出する（Ｓ１３１５）。
【０１４８】
図１７に移って、ＣＰＵ１３１は、抽出した映像データＥＳ及び音声データＥＳをＡＶデコーダ１３６（図４参照）を用いてデコードする（Ｓ１３１７）。ＣＰＵ１３１は、ステップＳ１３１７でデコードした映像データとを用いて、映像合成回路１３７を介してディスプレイ１１５に表示するためのテレビ画面情報を生成する（Ｓ１３２３）。ＣＰＵ１３１は、生成したテレビ画面情報をディスプレイ１３９へ表示する（Ｓ１３２５）。
【０１４９】
ＣＰＵ１１１は、テレビ受像装置１３のオフ状態となるまで、ステップＳ１３０５（図１６参照）〜ステップＳ１３２５（図１７参照）までの処理を繰り返す（Ｓ１３２７）。
【０１５０】
5.5.  広告情報送受信処理
次に、携帯電話１１のＣＰＵ１１１及び広告情報配信サーバ１７のＣＰＵ１７１が行う広告情報送受信処理について図１８、図１９に示すフローチャートを用いて説明する。図１８に示すように、ＣＰＵ１１１は、ディスプレイ１１５に表示している広告アイコンが選択された旨を示す選択情報を獲得したと判断すると（Ｓ１７０１）、当該広告アイコンに対応する広告アイコン操作情報を、メモリ１１２から取得する（Ｓ１７０３）。ＣＰＵ１１１は、取得した広告アイコン操作情報に基づいて、広告アイコンに対応する広告情報の取得を要求する要求情報を生成する（Ｓ１７０５）。この時、ＣＰＵ１１１は、要求情報に自らを一意に識別する携帯電話ＩＤを付加する。ＣＰＵ１１１は、生成した要求情報を広告アイコン操作情報に基づいて所定の広告情報配信サーバ１７へ送信する（Ｓ１７０７）。
【０１５１】
広告情報配信サーバ１７のＣＰＵ１７１は、要求情報を受信したと判断すると（Ｓ１７０９）、要求情報から携帯電話ＩＤ及び映像広告ＩＤを抽出する（Ｓ１７１１）。ＣＰＵ１７１は、映像広告ＩＤに対応する広告情報をハードディスク１７３から取得する（Ｓ１７１３）。ＣＰＵ１７１は、取得した広告情報をステップＳ１７１１で抽出した携帯電話ＩＤに基づいて、対応する携帯電話１１へ送信する（Ｓ１７１５）。
【０１５２】
図１９に移って、携帯電話１１のＣＰＵ１１１は、広告情報を取得したと判断すると（Ｓ１７１７）、取得した広告情報がＡＶデータであるか、ｗｅｂデータであるかを判断する（Ｓ１７１９）。
【０１５３】
ＣＰＵ１１１は、ＡＶデータであると判断すると（Ｓ１７１９）、ディスプレイ１１５の映像データ表示領域Ａ１（図１５参照）に表示する（Ｓ１７２１）。ディスプレイ１１５において、ｗｅｂブラウザとテレビ放送視聴アプリケーションとが統合された状態を図２０Ａに示す。映像データ表示領域Ａ１には、通常のデジタルテレビ放送が表示される。広告アイコン表示領域Ａ３には、Ｗｅｂブラウザが表示される。このように、デジタルテレビ放送とＷｅｂブラウザとを同時に表示することによって、放送から得られる情報とｗｅｂから得られる情報とを同時にユーザに提供することができる。
【０１５４】
一方、図１９に示すように、ＣＰＵ１１１は、ｗｅｂデータであると判断すると（Ｓ１７２３）、ｗｅｂブラウザを起動する（Ｓ１７２５）。そして、ＣＰＵ１１１は、ｗｅｂブラウザとテレビ放送視聴アプリケーションとを統合したテレビ画面情報を生成する（Ｓ１７２７）。ＣＰＵ１１１は、生成したテレビ画面情報をディスプレイ１１５に表示する（Ｓ１７２９）。ｗｅｂブラウザとテレビ放送視聴アプリケーションとが統合されたテレビ画面情報が表示されたディスプレイ１１５の一例を図２０Ｂに示す。映像データ表示領域Ａ１には、通常のデジタルテレビ放送が表示される。広告アイコン表示領域Ａ３には、Ｗｅｂブラウザが表示される。このように、デジタルテレビ放送とＷｅｂブラウザとを同時に表示することによって、ＡＶデータから得られる情報とｗｅｂから得られる情報とを同時にユーザに提供することができるので、より印象深く、かつ、詳細な広告をユーザに提供することができる。
【実施例２】
【０１５５】
1.概要
実施例１における携帯電話１１は、過去にデジタルテレビ放送された広告に関する広告アイコンを複数、ディスプレイ１１５に表示したものであった。一方、本実施例における携帯電話１１は、今後放送される広告の広告アイコンも含めて複数表示するものである。
【０１５６】
2.  広告システムの機能
本発明に係る広告システム１の機能を図２１に示す機能ブロック図に基づき説明する。本実施例における構成要素及びその機能は実施例１とほぼ同様である。但し、実施例１における１のテレビ受像装置Ｍ１１０のテレビ画面情報生成手段Ｍ１１４の機能が異なる。なお、実施例１と同様の機能を有する構成については、実施例１と同じ符号を付している。
【０１５７】
以下において、本実施例における携帯電話１１のテレビ画面情報生成手段Ｍ２１４の機能について説明する。テレビ画面情報生成手段Ｍ２１４は、抽出した画面情報及び広告識別情報をテレビ画面手段に表示するためのテレビ画面情報を生成する。また、テレビ画面情報生成手段Ｍ２１４は、広告識別情報を複数テレビ画面手段に表示するテレビ画面情報を生成する。さらに、テレビ画面情報生成手段Ｍ２１４は、画面情報及び広告情報をテレビ画面手段に表示するためのテレビ画面情報を生成する。テレビ画面情報生成手段Ｍ２１４は、テレビ画面手段に今後表示する広告に関する広告識別情報を表示するテレビ画面情報を生成する。
【０１５８】
これにより、これから表示される広告について、ユーザに容易に識別させることができる。つまり、これから表示される広告について、ユーザにおける広告情報の取得機会の時間的拡張を行うことが可能となる。
【０１５９】
3.  ハードウェア構成
本実施例における広告システムのハードウェア構成は実施例１と同様である（図２〜図６参照）。
【０１６０】
4.  データ
本実施例においては、データ放送原稿送出スケジュールの構成が実施例１とは異なる。他のデータについては、実施例１と同様である（図７、図９参照）。
【０１６１】
4.1.データ送出スケジュール
本実施例における広告放送スケジュールの一例を図２２Ａに、データ放送原稿送出スケジュールの一例を図２２Ｂに示す。なお、広告放送スケジュールについては、実施例１と同様である（図８Ａ参照）。また、データ送出スケジュールのデータ構造についても、実施例１と同様である（図８Ｂ参照）。
【０１６２】
但し、データ送出スケジュールに基づいて送出されるデータ放送原稿は、広告送出スケジュールに基づいて同時間に送出される映像広告原稿の次に送出される映像広告原稿と対応している。このように、今後放送される映像広告原稿に対応するデータ放送原稿を送出することによって、これから放送される広告を放送前にユーザに知らせることができる。
【０１６３】
5.  広告システムの動作
本実施例における広告システムの動作については、実施例１と同様である（図１２〜図１４、図１６〜図２０参照）。
【０１６４】
なお、本実施例における携帯電話１１は、今後放送される広告の広告アイコンも含めて複数表示するものである。従って、ＣＰＵ１１１がステップＳ１４２３（図１４参照）で生成するテレビ画像情報が実施例１とは異なる。本実施例におけるテレビ画面情報の一例を図２３に示す。
【０１６５】
図２３においては、映像データ表示領域Ａ１に広告Ｂが放送されている。このとき、広告アイコン表示領域Ａ３に表示される３つの広告アイコンＢ１〜Ｂ５のうち中央に表示される広告アイコンＢ３が、広告Ｂに関する広告アイコンとなる。右端に表示される広告アイコンＢ５は、広告Ｂの次に放送される広告Ｃに関するものである。なお、図２３においては、現在放送された広告から１つずつ前後に放送された広告に関する広告アイコンを表示するようにしている。
【０１６６】
このように、今後放送される広告アイコンを表示することによって、ユーザに対する広告情報の取得機会の時間的拡張が可能となる。
【実施例３】
【０１６７】
1.概要
実施例１における広告システムでは、広告アイコンが自動的に携帯電話１１のディスプレイ１１５に表示されるものであった。本実施例における広告システムでは、携帯電話１１は、ユーザの操作に基づいて広告アイコンをディスプレイ１１５に表示するものである。
【０１６８】
2.  広告システムの機能
本発明に係る広告システムの機能を図２４に示す機能ブロック図に基づき説明する。本実施例における構成要素及びその機能は実施例１とほぼ同様である。但し、本実施例におけるテレビ受像装置Ｍ１１０は、さらに、表示要求情報獲得手段Ｍ３１１を有している。また、実施例１におけるテレビ受像装置Ｍ１１０のテレビ画面情報生成手段Ｍ１１４の機能が異なる。なお、実施例１と同様の機能を有する構成については、実施例１と同じ符号を付している。
【０１６９】
以下において、本実施例におけるテレビ受像装置Ｍ１１０のテレビ画面情報生成手段Ｍ３１４及び表示要求情報獲得手段Ｍ３１１の機能について説明する。表示要求情報獲得手段Ｍ３１１は、広告識別情報をテレビ画面手段に表示する旨の表示要求情報を獲得する。
【０１７０】
テレビ画面情報生成手段Ｍ３１４は、抽出した画面情報をテレビ画面手段に表示するためのテレビ画面情報を生成する。また、テレビ画面情報生成手段Ｍ３１４は、表示要求情報を獲得したと判断すると、画面情報及び広告識別情報をテレビ画面手段に表示するためのテレビ画面情報を生成する。
【０１７１】
これにより、ユーザが望むときのみ、広告情報識別情報を表示させることができる。
【０１７２】
3.  ハードウェア構成
本実施例における広告システムのハードウェア構成は実施例１と同様である（図２〜図６参照）。但し、携帯電話１１のメモリ１１２に記録されている携帯電話プログラムが異なる。
【０１７３】
4.  データ
本実施例における広告システムのデータは実施例１と同様である（図７〜図９参照）。
【０１７４】
5.  広告システムの動作
本実施例におけるコンテンツの放送処理、テレビ受像装置１３におけるテレビ画面情報の生成処理、及び広告情報の取得処理については、実施例１と同様である。但し、本実施例における携帯電話１１のテレビ画面表示処理の一部が、実施例１とは異なる。以下において、実施例１とは異なる携帯電話１１のテレビ画面表示処理について図２５に示すフローチャートを用いて説明する。
【０１７５】
携帯電話１１のＣＰＵ１１１は、各エレメンタリー・ストリームを抽出した後（図１３：ステップＳ１４１５参照）、抽出した映像データＥＳ及び音声データＥＳを、メモリ１１２に記録しているＡＶデコーダ・アプリケーションを用いて、デコードする（Ｓ１４１７）。そして、ＣＰＵ１１１は、ＢＭＬブラウザを起動し（Ｓ１４２１）、起動したＢＭＬブラウザを用いて表示した広告アイコンを表示するための表示ボタンＢ１１、及び、ステップＳ１４１７でデコードしたテレビ放送視聴アプリケーションに表示する映像データとを統合し、ディスプレイ１１５に表示するためのテレビ画面情報を生成する（Ｓ１４２３）。なお、表示ボタンＢ１を表示するためのアイコンは、予めメモリ１１２へ保存しておいてよく、また、データ放送原稿に含めるようにしてもよい。
【０１７６】
ＣＰＵ１１１は、生成したテレビ画面情報をディスプレイ１１５へ表示する（Ｓ１４２５）。
【０１７７】
ステップＳ１４２３において生成したテレビ画面情報をディスプレイ１１５へ表示した状態を図２６Ａに示す。映像データ表示領域Ａ１には、通常のデジタルテレビ放送が表示される。広告アイコン表示領域Ａ３には、広告アイコンを孤島外領域に表示させるための表示ボタンＢ１１が表示される。表示ボタンＢ１１は、キーボード１１４等の入力手段・選択手段によって選択可能に構成されている。
【０１７８】
一方、ＣＰＵ１１１は、データ放送原稿ＥＳからデータ放送原稿を抽出する（Ｓ１４１９）。ＣＰＵ１１１は、抽出したデータ放送原稿を当該データ放送原稿を取得した時間と関連付けてメモリ１１２の所定の領域に保存する（Ｓ１５２１）。そして、ＣＰＵ１１１は、図２６Ａに示す表示ボタンＢ１１が選択され、広告アイコンを表示する旨の表示要求情報を獲得したと判断すると（Ｓ１５２３）、ステップＳ１５２１でメモリ１１２記憶したデータ放送原稿を獲得する（Ｓ１５２５）。ＣＰＵ１１１は、ＢＭＬブラウザを起動し（Ｓ１４２１）、起動したＢＭＬブラウザを用いて、ステップＳ１５２５で獲得したデータ放送原稿とステップＳ１４１７でデコードしたテレビ放送視聴アプリケーションに表示する映像データとを統合し、ディスプレイ１１５に表示するためのテレビ画面情報を生成する（Ｓ１４２３）。ＣＰＵ１１１は、データ放送原稿に含まれる広告アイコンをＢＭＬブラウザに表示するにあたっては、実施例１と同様に、データ放送原稿と関連付けられている取得時間を取得し、最も最近に取得したデータ放送原稿から２つ前のデータ放送原稿までの３つの広告アイコンをメモリ１１２から取得し、テレビ画面情報を生成する。
【０１７９】
ステップＳ１４２３において生成したテレビ画面情報をディスプレイ１１５へ表示した状態を図２６Ｂに示す。図２６Ａに示す表示ボタンＢ１１が選択された後にディスプレイ１１５に表示されるテレビ画面は、実施例１において表示されるテレビ画面と同様である（図１５参照）。広告アイコン表示領域Ａ３に表示される広告アイコンＢ１〜Ｂ５のいずれかが選択されると、実施例１と同様に、選択された広告アイコンに対応する広告情報の取得が可能な構成となっている。
【実施例４】
【０１８０】
1.概要
実施例１における携帯電話１１は、自らのディスプレイ１１５若しくはテレビ受像装置１３においてデジタル放送として放送された広告に関する広告アイコンを複数、ディスプレイ１１５に表示したものであった。一方、本実施例における携帯電話１１は、テレビ受像装置１３に対するチャンネル・リモコンとして動作し、チャンネルを変更しても、チャンネル変更前のチャンネルにおいて放送された広告の広告アイコン及びチャンネル変更後のチャンネルにおいて放送された広告の広告アイコンを表示するものである。
【０１８１】
2.  広告システムの機能
本発明に係る広告システムの機能を図２７に示す機能ブロック図に基づき説明する。本実施例における構成要素及びその機能は実施例１とほぼ同様である。但し、本実施例におけるテレビ受像装置Ｍ１１０は、さらに、変更情報送出手段Ｍ４１１を有している。また、実施例１におけるテレビ受像装置Ｍ１１０の広告識別情報抽出手段Ｍ１１３、画面情報抽出手段Ｍ１１２、テレビ画面情報生成手段Ｍ１１４の機能が異なる。
【０１８２】
本実施例におけるテレビ受像装置Ｍ１２０は、さらに、変更情報獲得手段Ｍ４２１を有している。また、実施例１におけるテレビ受像装置Ｍ１２０のテレビ画面情報生成手段Ｍ１２４の機能が異なる。
【０１８３】
なお、実施例１と同様の機能を有する構成については、実施例１と同じ符号を付している。以下において、本実施例におけるテレビ受像装置Ｍ１１０の変更情報送出手段Ｍ４１１、画面情報抽出手段Ｍ４１２、広告識別情報抽出手段Ｍ４１３、テレビ画面情報生成手段Ｍ４１４及びテレビ受像装置Ｍ１２０の変更情報獲得手段Ｍ４２１、テレビ画面情報生成手段Ｍ４２４の機能について説明する。
【０１８４】
第１のテレビ受像装置Ｍ１１０の変更情報送出手段Ｍ４１１は、第２のテレビ受像装置の画面情報抽出手段が抽出する画面情報の種類の変更を指示する変更情報を送出する。
【０１８５】
第１のテレビ受像装置Ｍ１１０の画面情報抽出手段Ｍ４１２は、さらに、変更情報に対応する画面情報を放送情報から抽出する。
【０１８６】
第１のテレビ受像装置の広告識別情報抽出手段Ｍ４１３は、獲得した放送情報から広告識別情報を抽出する。さらに、広告識別情報抽出手段Ｍ４１３は、変更情報を送出した後は、種類変更後の画面情報に対応する広告識別情報を抽出する。また、第１のテレビ受像装置Ｍ１１０のテレビ画面情報生成手段Ｍ４１４は、抽出した広告識別情報をテレビ画面手段に表示するためのテレビ画面情報を生成する。さらに、第１のテレビ受像装置のテレビ画面情報生成手段Ｍ４１４は、変更情報を送出する前に抽出した広告識別情報及び前記変更情報を送出した後に抽出した広告識別情報に基づき前記テレビ画面情報を生成する。さらに、テレビ画面情報生成手段Ｍ４１４は、抽出した画面情報及び広告識別情報をテレビ画面手段に表示するためのテレビ画面情報を生成する。
【０１８７】
第２のテレビ受像装置Ｍ１２０の変更情報獲得手段Ｍ４２１は、変更情報を獲得する。第２のテレビ受像装置Ｍ１２０の画面情報抽出手段Ｍ４２２は、さらに、変更情報に対応する画面情報を放送情報から抽出する。
【０１８８】
これにより、抽出する画面情報の種類を変更した後であっても、変更前に表示された広告をユーザに識別させることができる。つまり、抽出する画面情報の種類の変更を意識させることなく、ユーザに広告を識別させることができる。また、抽出する画面情報の種類の変更後の画面情報とともに、変更前の広告識別情報も表示することができる。従って、抽出する画面情報の種類の変更を意識させることなく、ユーザに広告を識別させることができる。
【０１８９】
3.  ハードウェア構成
本実施例における広告システムのハードウェア構成は実施例１と同様である（図２〜図６参照）。
【０１９０】
4.  データ
本実施例においては、データ放送原稿送出スケジュールの構成が実施例１とは異なる。他のデータについては、実施例１と同様である（図７〜図９参照）。
【０１９１】
5.  広告システムの動作
本実施例における広告システムの動作については、実施例１とほぼ同様である（図１２、図１３、図１６〜図２０参照）。但し、携帯電話１１における画面生成処理の一部、及び携帯電話１１においてリモコンアプリケーションが動作した際のチャンネル変更処理が実施例１とは異なる。以下において、異なる処理について説明する。
【０１９２】
5.1.  携帯電話１１におけるテレビ画面表示処理
携帯電話１１のＣＰＵ１１１が行うテレビ画面表示処理を図２８に示すフローチャートを用いて説明する。ＣＰＵ１１１は、各エレメンタリー・ストリームを抽出した後（図１３：ステップＳ１４１５参照）、抽出した映像データＥＳ及び音声データＥＳをメモリ１１２に記録しているＡＶデコーダ・アプリケーションを用いてデコードする（Ｓ１４１７）。
【０１９３】
一方、ＣＰＵ１１１は、データ放送原稿ＥＳからデータ放送原稿を抽出する（Ｓ１４１９）。そして、ＣＰＵ１１１は、抽出したデータ放送原稿をメモリ１１２の所定の領域に保存する（Ｓ１５２１）。なお、メモリ１１２に保存する際には、データ放送原稿に対して、当該データ放送原稿に対応する映像広告原稿が放送されたチャンネル及び取得時間が関連付けられて保存される。その後の処理については、実施例１と同様である。
【０１９４】
5.2.  チャンネル変更処理
携帯電話１１のＣＰＵ１１１が行うチャンネル変更処理を図２９に示すフローチャートを用いて説明する。ＣＰＵ１１１は、リモコンアプリケーションの起動命令があると判断すると（Ｓ２６０１）、リモコンアプリケーションを起動する（Ｓ２６０３）。なお、リモコンアプリケーションは、携帯電話１１においては、例えば、ｉアプリ（ＮＴＴドコモの登録商標）によって実現可能である。リモコンアプリケーションが起動した状態の一例を図３０Ａに示す。携帯電話１１のディスプレイ１１５には、各チャンネルを選択するためのチャンネル番号が表示されている。ユーザは、キーボード１１４等の入力手段を用いて所望のチャンネル番号を選択する。チャンネル番号が選択されると、チャンネル変更情報が発信される。
【０１９５】
図２９に戻って、ＣＰＵ１１１は、チャンネルを変更する旨のチャンネル変更情報を獲得したと判断すると（Ｓ２６０５）、チャンネル変更されたチャンネルについて図１４におけるステップＳ１４０５〜Ｓ１４１５、及び図２８に示すテレビ画面情報生成処理を実行する（Ｓ２６０７）。
【０１９６】
ここで、ステップＳ２６０７のテレビ画面情報生成処理におけるステップＳ１４２３（図２６参照）において生成されるテレビ画面情報の一例を図３０Ｂに示す。携帯電話１１のディスプレイ１１５には、デジタルテレビ放送を表示するデジタルテレビ放送表示領域Ａ４１、チャンネル変更前後に放送された広告に対応する広告アイコンが表示される広告アイコン表示領域Ａ４３、及びリモコンアプリケーションを起動させるためのリモコンアプリケーション起動ボタンＢ４３が表示されるリモコンアプリケーション起動ボタン表示領域Ａ４３を有している。このように、リモコンアプリケーション起動ボタンＢ４３を表示することによって、ユーザは、所望の時に容易にリモコンアプリケーションを起動することができる。
【０１９７】
図２９に戻って、ＣＰＵ１１１、チャンネルを変更する旨のチャンネル変更情報を獲得したと判断すると（Ｓ２６０５）、当該チャンネル変更情報をテレビ受像装置１３へ送信する（Ｓ２６０９）。なお、チャンネル変更情報の送信は、例えば、携帯電話１１に内蔵されている赤外線通信回路を用いることによって実現可能である。
【０１９８】
テレビ受像装置１３は、チャンネル変更情報を獲得したと判断すると、チャンネル変更されたチャンネルについて、図１６におけるステップＳ１４０５〜図１７におけるステップＳ１３２５までのテレビ画面情報生成処理を実行する。
【実施例５】
【０１９９】
1.概要
実施例１における広告システム１ではデジタルテレビ放送において放送された広告を携帯電話１１に表示するものであった。本実施例における広告システム３では、ネットワーク環境を通じて配信されるネットワークテレビ放送において放送された広告を対象とするものである。これにより、ネットワークテレビ放送においても携帯電話１１のユーザにおける広告情報の取得機会の時間的拡張が容易に可能となる。
【０２００】
なお、以下においては、実施例１と同様の構成については、実施例１と同じ番号を付している。
【０２０１】
2.広告システムの機能
本発明に係る広告システム３の機能を図３１ａに示す機能ブロック図に基づき説明する。なお、以下においては、実施例１と同様の構成については、同一の畚を伏している。
【０２０２】
広告システム３は、第１のテレビ受像装置Ｍ５１０、第２のテレビ受像装置Ｍ５２０、及び広告情報提供装置Ｍ１３０を有している。第１のテレビ受像装置Ｍ５１０及び第２のテレビ受像装置Ｍ５２０は、番組をテレビ画面手段に表示するための番組画面情報、広告をテレビ画面手段に表示するための広告画面情報及び前記広告画面情報における広告を識別する広告識別情報を獲得し、自らのテレビ画面手段に前記番組画面情報、前記広告画面情報を表示する。
【０２０３】
第１のテレビ受像装置Ｍ５１０は、番組画面情報獲得手段Ｍ５１１、広告画面情報獲得手段Ｍ５１２、広告識別情報獲得手段Ｍ５１３、テレビ画面情報生成手段Ｍ５１４、表示制御手段Ｍ１１５、表示手段Ｍ１１６、選択情報獲得手段Ｍ１１７、要求情報送出手段Ｍ１１８、及び広告情報獲得手段Ｍ１１９を有している。
【０２０４】
番組画面情報獲得手段Ｍ５１１は、番組画面情報を獲得する。広告画面情報獲得手段Ｍ５１２は、広告画面情報を獲得する。広告識別情報獲得手段Ｍ５１３は、広告識別情報を獲得する。
【０２０５】
テレビ画面情報生成手段Ｍ５１４は、獲得した番組画面情報若しくは広告画面情報をテレビ画面手段に表示するためのテレビ画面情報を生成する。また、テレビ画面情報生成手段Ｍ５１４は、広告識別情報をテレビ画面手段に表示するテレビ画面情報を生成する。さらに、テレビ画面情報生成手段Ｍ５１４は、番組画面情報、広告画面情報、及び広告情報をテレビ画面手段に表示するためのテレビ画面情報を生成する。さらに、テレビ画面情報生成手段Ｍ５１４は、過去若しくは現在においてテレビ画面手段に表示した広告に関する広告識別情報を表示するテレビ画面情報を生成する。
【０２０６】
表示制御手段Ｍ１１５は、生成したテレビ画面情報をテレビ画面手段に表示する。
【０２０７】
選択情報獲得手段Ｍ１１７は、テレビ画面手段に表示した広告識別情報を選択する旨の選択情報を獲得する。要求情報送出手段Ｍ１１８は、獲得した選択情報に対応する広告情報の取得を要求する旨の要求情報を送出する。広告情報獲得手段Ｍ１１９は、要求情報に対応する広告情報を広告提供装置Ｍ１３０から獲得する。
【０２０８】
第２のテレビ受像装置Ｍ５２０は、番組画面情報獲得手段Ｍ５２１、広告画面情報獲得手段Ｍ５２３、テレビ画面情報生成手段Ｍ５２４、表示制御手段Ｍ１２５、及び表示手段Ｍ１２６を有している。
【０２０９】
番組画面情報獲得手段Ｍ５２１は、番組画面情報を獲得する。広告画面情報獲得手段Ｍ５２３は、広告画面情報を獲得する。テレビ画面情報生成手段Ｍ５２４は、獲得した番組画面情報若しくは広告画面情報をテレビ画面手段に表示するためのテレビ画面情報を生成する。表示制御手段Ｍ１２５は、生成したテレビ画面情報をテレビ画面手段に表示する。
【０２１０】
広告情報提供装置Ｍ１３０は、広告に関する広告情報を提供する。
【０２１１】
これにより、テレビ画面手段に表示された広告についての広告識別情報を、当該テレビ画面手段に表示することができる。つまり、実際に広告が表示された時間にユーザがその広告を見ていなくとも、ユーザに表示された広告を識別させることができる。また、表示された広告について、ユーザが広告情報を得る機会を容易に与えることができる。つまり、ユーザにおける広告情報の取得機会の時間的拡張を行うことが可能となる。さらに、既に表示された広告について、ユーザに容易に識別させることができる。つまり、既に表示された広告について、ユーザにおける広告情報の取得機会の時間的拡張を行うことが可能となる。
【０２１２】
3.  ハードウェア構成
3.1.  広告システム３のハードウェア構成
広告システム３のハードウェア構成を図３２を用いて説明する。広告システム３は、携帯電話３１、テレビ受像装置３３、放送システム３５、広告配信サーバ１７を有している。携帯電話３１及びテレビ受像装置３３は、ネットワークを介して放送システム３５へ接続し、ネットワークを介したテレビ放送を受信する。
【０２１３】
放送システム３５は、番組及び広告をテレビ画面に表示するための映像広告原稿若しくは映像原稿、及び前記映像広告原稿における広告を識別する広告アイコンを含むデータ放送原稿によって構成されるコンテンツをネットワークテレビ放送用に送信する。
【０２１４】
以下において、携帯電話３１、テレビ受像装置３３、及び放送システムサーバ３５のハードウェア構成を説明する。
【０２１５】
3.2.  携帯電話３１のハードウェア構成
携帯電話３１のハードウェア構成を図３３に基づいて説明する。携帯電話１１は、ＣＰＵ１１１、メモリ１１２、ネットワーク用通信回路３１３、キーボード１１４、スピーカ１１５、ディスプレイ１１６及び携帯電話通信制御回路１１７を備えている。
【０２１６】
ネットワーク用通信回路３１３は、ネットワークを介してパケット化されたデータを受信する。他の構成については、実施例１における携帯電話１１と同様のハードウェア構成であるので、ここでの詳細な記述は省略する。なお、メモリ１１２に記憶されている放送視聴アプリケーションは、テレビのネットワーク配信に対応したものである。
【０２１７】
3.3.  テレビ受像装置３３のハードウェア構成
テレビ受像装置３３のハードウェア構成を図３４に基づいて説明する。テレビ受像装置３３は、ＣＰＵ１３１、メモリ１３２、ＲＯＭ１３３、ネットワーク用通信回路３３４、スピーカ１３８、及びディスプレイ１３９を有している。
【０２１８】
ネットワーク用通信回路３３４は、ネットワークを介してパケット化されたデータを受信する。他の構成については、実施例１におけるテレビ受像装置１３と同様のハードウェア構成であるので、ここでの詳細な記述は省略する。
【０２１９】
3.4.  放送システム３５のハードウェア構成
放送システム３５のハードウェア構成を図３５に基づいて説明する。放送システム３５は、コンテンツ配信サーバ３５ａ、ＣＭ配信サーバ３５ｂ、及び広告アイコン配信サーバ３５ｃにより構成されている。
【０２２０】
コンテンツ配信サーバ３５ａは、メモリやハードディスク等の記憶手段に映像原稿を有している。また、コンテンツ配信サーバ３５ａは、記憶手段に番組送出スケジュールを記憶している。コンテンツ配信サーバ３５ａは、番組送出スケジュールに従って、映像広告原稿をネットワークを介して配信する。
【０２２１】
ＣＭ配信サーバ３５ｂは、メモリやハードディスク等の記憶手段に映像広告原稿を有している。また、ＣＭ配信サーバ３５ｂは、記憶手段に広告送出スケジュールを記憶している。ＣＭ配信サーバ３５ｂは、広告送出スケジュールに従って、映像広告原稿をネットワークを介して配信する。
【０２２２】
広告アイコン配信サーバ３５ｃは、メモリやハードディスク等の記憶手段にデータ放送原稿を有している。また、広告アイコン配信サーバ３５ｃは、記憶手段にデータ送出スケジュールを記憶している。広告アイコン配信サーバ３５ｃは、データ送出スケジュールに従って、データ放送原稿をネットワークを介して配信する。
【０２２３】
4.  データ
コンテンツ配信サーバ３５ａが有する映像原稿、番組送出スケジュール、ＣＭ配信サーバ３５ｂが有する映像広告原稿、広告送出スケジュール、及び広告アイコン配信サーバ３５ｃが有するデータ放送原稿、データ送出スケジュールの各データについては、実施例１と同様のデータ構造であるため、ここでの詳細な記述は省略する。
【０２２４】
5.  広告システム３の動作
5.1.  コンテンツ放送処理
映像原稿を生成したユーザは、生成した映像原稿をコンテンツ配信サーバ３５ａへ保存する。映像広告原稿を生成したユーザは、生成した映像広告原稿をＣＭ配信サーバ３５ｂへ保存する。また、映像広告原稿に対応するデータ放送原稿を生成したユーザは、データ放送原稿を広告アイコン配信サーバ３５ｃへ保存する。なお、映像広告原稿、映像原稿及びデータ放送原稿は、コンテンツ配信サーバ３５ａ、ＣＭ配信サーバ３５ｂ、広告アイコン配信サーバ３５ｃおいて、各サーバが有する広告送出スケジュール、番組送出スケジュール、及びデータ送出スケジュールに基づいて時系列順に保存される。
【０２２５】
放送システム３のコンテンツ配信サーバ３５ａにおけるデータ放送処理について図３６に示すフローチャートを用いて説明する。コンテンツ配信サーバ３５ａは、ハードディスク等の記憶手段に保存している番組送出スケジュールを取得する（Ｓ３６０１）。コンテンツ配信サーバ３５ａは、取得した番組送出スケジュールに基づいて対応する映像原稿を取得する（Ｓ３６０３）。コンテンツ配信サーバ３５ａは、取得した映像原稿をネットワークを介したデータ放送用にパケット化する（Ｓ３６０５）。そして、コンテンツ配信サーバ３５ａは、パケット化した映像原稿を放送データとして配信する（Ｓ３６０７）。
【０２２６】
ＣＭ配信サーバ３５ｂ及び広告アイコン配信サーバ３５ｃも同様のデータ放送処理を実行する。
【０２２７】
5.2.  携帯電話３１におけるテレビ画面表示処理
携帯電話３１のＣＰＵ１１１が行うテレビ画面表示処理を図３７に示すフローチャートを用いて説明する。ＣＰＵ１１１は、テレビ放送視聴アプリケーションの起動命令があったと判断すると（Ｓ３７０１）、テレビ放送視聴アプリケーションを起動する（Ｓ３７０３）。さらに、ＣＰＵ１１１は、ネットワーク用通信回路３１４（図３３参照）を介して、コンテンツ配信サーバ３５ａ、ＣＭ配信サーバ３５ｂ、若しくは広告アイコン配信サーバ３５ｃから送信された放送データの受信を開始する（Ｓ３７０５）。
【０２２８】
ＣＰＵ１１１は、放送データを受信すると（Ｓ３７０７）、受信した放送データをメモリ１１２へ保存する（Ｓ３７０９）。そして、ＣＰＵ１１１は、受信した放送データについてパケット解析を行う（Ｓ３７１１）。
【０２２９】
ＣＰＵ１１１は、データ放送用ブラウザを起動する（Ｓ３７１３）。ＣＰＵ１１１は、データ放送用ブラウザに表示したデータ放送原稿とテレビ放送視聴アプリケーションで表示する映像データとを統合し、ディスプレイ１１５に表示するためのテレビ画面情報を生成する（Ｓ３７１５）。ＣＰＵ１１１は、データ放送原稿に含まれる広告アイコンをデータ放送用ブラウザに表示するにあたって、データ放送原稿と関連付けられている取得時間を取得する。そして、ＣＰＵ１１１は、最も最近に取得したデータ放送原稿から２つ前のデータ放送原稿までの３つの広告アイコンをメモリ１１２から取得し、テレビ画面情報を生成する。ＣＰＵ１１１は、生成したテレビ画面情報をディスプレイ１１５へ表示する（Ｓ３７１７）。
【０２３０】
ＣＰＵ１１１は、テレビ放送視聴アプリケーションが終了されるまで、ステップＳ３７０５〜ステップＳ３７１７までの処理を繰り返す（Ｓ３７１９）。
【０２３１】
これにより、過去の広告アイコンを複数表示することによって、ネットワークを介しで放送された広告について、ユーザが広告情報を得る機会を容易に与えることができので、ユーザにおける広告情報の取得機会の時間的拡張を行うことが可能となる。
【０２３２】
5.3.  テレビ受像装置３３におけるテレビ画面表示処理
テレビ受像装置３３におけるテレビ画面表示処理について図３８に示すフローチャートを用いて説明する。ＣＰＵ１３１は、テレビ受像装置３３の起動命令があったと判断すると（Ｓ３８０１）、ネットワーク用通信回路３３４（図３４参照）を介して、コンテンツ配信サーバ３５ａ、ＣＭ配信サーバ３５ｂ、若しくは広告アイコン配信サーバ３５ｃから送信された放送データの受信を開始する（Ｓ３８０３）。
【０２３３】
ＣＰＵ１３１は、放送データを受信すると（Ｓ３８０５）、受信した放送データをメモリ１３２へ保存する（Ｓ３８０７）。そして、ＣＰＵ１３１は、受信した放送データについてパケット解析を行う（Ｓ３８０９）。
【０２３４】
ＣＰＵ１３１は、パケット解析した映像データを用いてディスプレイ１１５に表示するためのテレビ画面情報を生成する（Ｓ３８１１）。ＣＰＵ１３１は、生成したテレビ画面情報をディスプレイ１３９へ表示する（Ｓ３８１３）。
【０２３５】
ＣＰＵ１３１は、テレビ受像装置３３のオフ状態となるまで、ステップＳ３８０３〜ステップＳ３８１３までの処理を繰り返す（Ｓ３８１５）。
【実施例６】
【０２３６】
1.概要
実施例５における広告システム３では、従来のデジタルテレビ放送と同様に、放送局側が放送システムを介して番組を流し続けるネットワークテレビ放送を対象ととしていた。本実施例における広告システム５は、視聴者からの要求により番組を配信する、いわゆるオンデマンド配信が可能なネットワーク配信を対象とするものである。これにより、オンデマンド配信が可能なネットワーク配信においても携帯電話１１のユーザにおける広告情報の取得機会の時間的拡張が容易に可能となる。
【０２３７】
なお、以下においては、実施例１〜実施例５と同様の構成については、実施例１〜実施例５と同じ番号を付している。
【０２３８】
2.広告システムの機能
本発明に係る広告システム５の機能は、実施例５における機能ブロック（図３１ａ参照）と同様である。従って、ここでの詳細な記述は省略する。
【０２３９】
3.  ハードウェア構成
3.1.  広告システム５のハードウェア構成
広告システム５のハードウェア構成を図３９を用いて説明する。広告システム５は、携帯電話３１、テレビ受像装置３３、コンテンツ管理サーバ５１、ＣＭ管理サーバ５３、広告アイコンサーバ５５、配信制御サーバ５７、広告配信サーバ１７、コンテンツ配信サーバ６１（ａ〜ｃ）及びＣＭ配信サーバ６３（ａ、ｂ）を有している。
【０２４０】
コンテンツ配信サーバ６１（ａ〜ｃ）は、コンテンツ（α〜γ）を有している。コンテンツ配信サーバ６１は、その有するコンテンツを携帯電話１１、テレビ受像器１３へ配信する。なお、コンテンツ配信サーバ６１は、コンテンツを配信しようとする配信主が独自に立ち上げたサーバであり、そのハードウェア構成は一般的は映像配信サーバと同様である。
【０２４１】
ＣＭ配信サーバ６３（ａ、ｂ）は、ＣＭデータ（ａ、ｂ）を有している。ＣＭ配信サーバ６３は、その有するＣＭデータを携帯電話１１、テレビ受像器１３へ配信する。なお、ＣＭ配信サーバ６３は、ＣＭを配信しようとする配信主が独自に立ち上げたサーバであり、そのハードウェア構成は一般的は映像配信サーバと同様である。
【０２４２】
コンテンツ管理サーバ５１、ＣＭ管理サーバ５３、広告アイコンサーバ５５、及び配信制御サーバ５７は、コンテンツ配信サーバ６１（ａ〜ｃ）によるコンテンツ配信とＣＭ配信サーバ６３（ａ、ｂ）によるＣＭデータ配信とを制御する。
【０２４３】
以下において、コンテンツ管理サーバ５１、ＣＭ管理サーバ５３、広告アイコンサーバ５５、及び配信制御サーバ５７のハードウェア構成を説明する。
【０２４４】
3.2.  コンテンツ管理サーバ５１のハードウェア構成
コンテンツ管理サーバ５１のハードウェア構成を図４０に基づいて説明する。コンテンツ管理サーバ５１は、ＣＰＵ５１１、メモリ５１２、ハードディスク５１３及び通信回路５１８を備えている。また、コンテンツ管理サーバ５１には、キーボード５１４、マウス５１５、ディスプレイ５１６、ＣＤ−ＲＯＭドライブ５１７が接続されている。
【０２４５】
ＣＰＵ５１１は、ハードディスク５１３に記録されているオペレーティング・システム（ＯＳ）、コンテンツ管理サーバプログラム等その他のアプリケーションに基づいた処理を行う。メモリ５１２は、ＣＰＵ５１１に対して作業領域を提供する。ハードディスク５１３は、オペレーティング・システム（ＯＳ）、コンテンツ管理サーバプログラム等その他のアプリケーション及びコンテンツデータデータベース（コンテンツデータＤＢ）等の各種データを記録保持する。なお、ハードディスク５１３に記録されているコンテンツデータＤＢについては後述する。通信回路５１８は、ネットワークに接続する通信回路を有しており、配信制御サーバ５７等の外部の通信機器とデータの送受信を行う。
【０２４６】
キーボード５１４、マウス５１５は、外部からの命令を受け付ける。ディスプレイ５１６は、ユーザーインターフェイス等の画像を表示する。ＣＤ−ＲＯＭドライブ５１７は、コンテンツ管理サーバプログラムが記録されているＣＤ−ＲＯＭ５１９からコンテンツ管理サーバプログラム及び他のＣＤ−ＲＯＭからその他のアプリケーションのプログラムを読み取る等、ＣＤ−ＲＯＭからのデータの読み取りを行う。
【０２４７】
3.3.  ＣＭ管理サーバ５３のハードウェア構成
ＣＭ管理サーバ５３のハードウェア構成を図４１に基づいて説明する。ＣＭ管理サーバ５３は、ＣＰＵ５３１、メモリ５３、ハードディスク５３３及び通信回路５３８を備えている。また、ＣＭ管理サーバ５３には、キーボード５３４、マウス５３５、ディスプレイ５３６、ＣＤ−ＲＯＭドライブ５３７が接続されている。
【０２４８】
ＣＭ管理サーバ５３の各ハードウェア構成については、コンテンツ管理サーバ５１における各ハードウェア構成と同様の機能を果たすため、ここでの詳細な記載は省略する。
【０２４９】
なお、ＣＭ管理サーバ５３のハードディスク５３３には、ＣＭデータデータベース（ＣＭデータＤＢ）が記憶保持されている。ＣＭデータＤＢについては後述する。
【０２５０】
3.4.  広告アイコンサーバ５５のハードウェア構成
広告アイコンサーバ５５のハードウェア構成を図４２に基づいて説明する。広告アイコンサーバ５５は、ＣＰＵ５５１、メモリ５５２、ハードディスク５５３及び通信回路５５８を備えている。また広告アイコンサーバ５５には、キーボード５５４、マウス５５５、ディスプレイ５５６、ＣＤ−ＲＯＭドライブ５５７が接続されている。
【０２５１】
広告アイコンサーバ５５の各ハードウェア構成については、ＣＭサーバ５１における各ハードウェア構成と同様の機能を果たすため、ここでの詳細な記載は省略する。
【０２５２】
なお、広告アイコンサーバ５５のハードディスク５５３には、広告アイコンデータデータベース（広告アイコンデータＤＢ）が記憶保持されている。広告アイコンデータＤＢについては後述する。
【０２５３】
3.5.  配信制御サーバ５７のハードウェア構成
配信制御サーバ５７のハードウェア構成を図４３に基づいて説明する。配信制御サーバ５７は、ＣＰＵ５７１、メモリ５７２、ハードディスク５７３及び通信回路５７８を備えている。また、配信制御サーバ５７には、キーボード５７４、マウス５７５、ディスプレイ５７６、ＣＤ−ＲＯＭドライブ５７７が接続されている。
【０２５４】
配信制御サーバ５７の各ハードウェア構成については、ＣＭサーバ５１における各ハードウェア構成と同様の機能を果たすため、ここでの詳細な記載は省略する。
【０２５５】
なお、配信制御サーバ５７のハードディスク５７３には、番組データベース（番組ＤＢ）及び番組放送スケジュールデータベース（放送スケジュールＤＢ）が記憶保持されている。番組ＤＢ及び番組放送スケジュールＤＢについては後述する。
【０２５６】
4.  データ
コンテンツデータＤＢ（図４０参照）、ＣＭデータＤＢ（図４１参照）、広告アイコンデータＤＢ（図４２参照）、番組ＤＢ及び番組放送スケジュールＤＢ（以上、図４３参照）を以下において説明する。
【０２５７】
4.1.  コンテンツデータＤＢ
コンテンツデータＤＢには、ネットワーク上に存在するコンテンツデータと各コンテンツデータを一意に特定するコンテンツデータＩＤとが関連付けて登録されている。コンテンツデータＤＢの一例を図４４に示す。
【０２５８】
コンテンツデータＤＢは、［コンテンツデータＩＤ］列Ｃ４１０１、［コンテンツデータ］列Ｃ４１０３及び［存在位置］列Ｃ４１０５を有している。［コンテンツデータＩＤ］列Ｃ４１０１には、登録されたコンテンツデータを一意に特定する識別情報であるコンテンツデータＩＤが記述される。［コンテンツデータ］列Ｃ４１０３には、コンテンツデータの提供者がコンテンツデータに対して付与した名称が記述される。［存在位置］列Ｃ４１０５には、［コンテンツデータ］列Ｃ４１０３に記述されたコンテンツが存在するネットワーク上の位置が記述される。
【０２５９】
4.2.  ＣＭデータＤＢ
ＣＭデータＤＢには、ネットワーク上に存在するＣＭデータと各ＣＭデータを一意に特定するＣＭデータＩＤとが関連付けて登録されている。ＣＭデータＤＢの一例を図４５に示す。
【０２６０】
ＣＭデータＤＢは、［ＣＭデータＩＤ］列Ｃ４２０１、［ＣＭデータ］列Ｃ４２０３及び［存在位置］列Ｃ４２０５を有している。［ＣＭデータＩＤ］列Ｃ４２０１には、登録されたＣＭデータを一意に特定する識別情報であるＣＭデータＩＤが記述される。［ＣＭデータ］列Ｃ４２０３には、ＣＭデータの提供者がＣＭデータに対して付与した名称（例えば、ＣＭに係る商品名）が記述される。［存在位置］列Ｃ４２０５には、［ＣＭデータ］列Ｃ４２０３に記述されたＣＭデータが存在するネットワーク上の位置が記述される。
【０２６１】
4.3.  広告アイコンデータＤＢ
広告アイコンデータＤＢには、ＣＭデータに対応するアイコンが記述されている。広告アイコンデータＤＢの一例を図４６に示す。
【０２６２】
広告アイコンデータＤＢは、［広告アイコンデータＩＤ］列Ｃ４３０１及び［広告アイコン］列Ｃ４３０３を有している。また、［広告アイコン］列Ｃ４３０３は、［ＣＭデータＩＤ］列Ｃ４３０５、［アイコン］列Ｃ４３０５及び［広告アイコン制御情報］列Ｃ４３０９を有している。
【０２６３】
［広告アイコンデータＩＤ］列Ｃ４３０１には、登録されている広告アイコンデータを一意に特定する識別情報である広告アイコンデータＩＤが記述される。［ＣＭデータＩＤ］列Ｃ４１０３には、［アイコン］列Ｃ４３０７に登録されているアイコンが対応するＣＭデータのＣＭデータＩＤが記述される。［アイコン］列Ｃ４３０７には、ディスプレイ上に実際にアイコンとして表示される図形データが記述される。［広告アイコン制御情報］列Ｃ４３０９には、広告アイコンを制御するための情報が記述される。
【０２６４】
4.4.  番組ＤＢ
番組ＤＢには、コンテンツデータが放送される番組を一意に特定するための番組ＩＤと当該コンテンツデータとが関連付けられて記述されている。番組ＤＢの一例を図４７に示す。
【０２６５】
番組ＤＢは、［番組ＩＤ］列Ｃ４４０１及び［コンテンツデータＩＤ］列Ｃ４４０３を有している。［番組ＩＤ］列Ｃ４４０１には、コンテンツデータが放送される番組を一意に特定するための番組ＩＤが記述される。［コンテンツデータＩＤ］列Ｃ４１０３には、［番組ＩＤ］列Ｃ４４０１に登録されている番組ＩＤで特定される番組で放送されるコンテンツを特定するためのコンテンツＩＤが記述される。
【０２６６】
4.5.  番組放送スケジュールＤＢ
番組放送スケジュールＤＢには、番組で放送するコンテンツデータやＣＭデータに関する放送スケジュールが記述されている。番組放送スケジュールＤＢの一例を図４８に示す。
【０２６７】
番組放送スケジュールＤＢは、［番組ＩＤ］列Ｃ４５０１、［時間］列Ｃ４５０３、及び［ＩＤ］列Ｃ４５０５を有している。
【０２６８】
［番組ＩＤ］列Ｃ４５０１には、放送する番組を一意に特定する識別情報である番組ＩＤが記述される。［時間］列Ｃ４５０３には、［ＩＤ］列Ｃ４４０５に登録されているＩＤで特定されるコンテンツデータやＣＭデータを放送する時間が記述される。なお、本実施形態においては、オンデマンド配信を対象としているため、［時間］列Ｃ４５０３に記述される時間として、当該番組の放送開始からの経過時間が記述されている。［ＩＤ］列Ｃ４５０５には、番組で配信するコンテンツデータやＣＭデータを特定するためのコンテンツデータＩＤやＣＭデータＩＤが記述される。
【０２６９】
5.  広告システム５の動作
ネットワークを介したオンデマンド配信によりコンテンツ（α〜γ）を視聴しようとするユーザは、当該コンテンツを配信するコンテンツ配信サーバ６１（ａ〜ｃ）へ、携帯電話３１若しくはテレビ受像器３３を用いて接続する。コンテンツ配信サーバ６１（ａ〜ｃ）は、コンテンツをユーザの携帯電話３１、テレビ受像器３３に配信するにあたり、自らが有するコンテンツを配信する旨のコンテンツ配信要求情報を配信制御サーバ５７へ送信する。以降、配信制御サーバ５７の動作を中心に広告システム５の動作を説明する。
【０２７０】
5.1.  広告システム５の動作
広告システム５の動作について図４９〜図５３に示すフローチャートを用いて説明する。なお、図４９、図５０は配信制御サーバ５７の動作を、図５１はコンテンツ管理サーバ５１の動作を、図５２はＣＭデータ管理サーバ５３の動作を、図５３は広告アイコンサーバ５７の動作を、それぞれ示している。
【０２７１】
図４９において、配信制御サーバ５７のＣＰＵ５７１は、コンテンツ配信要求情報を受信したと判断すると（Ｓ４９０１）、コンテンツ配信要求情報からコンテンツ名を取得する（Ｓ４９０３）。ＣＰＵ５７１は、コンテンツ名に対応するコンテンツＩＤを要求する旨のコンテンツＩＤ要求情報をコンテンツ管理サーバ５１へ送信する（Ｓ４９０５）。
【０２７２】
図５１に移って、コンテンツ管理サーバ５１のＣＰＵ５１１は、コンテンツＩＤ要求情報を受信したと判断すると（Ｓ５１０１）、コンテンツデータＤＢにアクセスし、コンテンツ名に対応するコンテンツＩＤを［コンテンツＩＤ］列Ｃ４１０１から、当該コンテンツ名に対応するデータの存在位置を［存在位置］列Ｃ４１０５から、それぞれ取得する（Ｓ５１０３）。ＣＰＵ５１１は、取得したコンテンツＩＤ及び存在位置をコンテンツＩＤ情報として、配信制御サーバ５７へ送信する（Ｓ５１０５）。
【０２７３】
図４９に戻って、配信制御サーバ５７のＣＰＵ５７１は、コンテンツＩＤ情報を受信したと判断すると（Ｓ４９０７）、コンテンツＩＤ情報からコンテンツＩＤを抽出する（Ｓ４９０９）。ＣＰＵ５７１は、抽出したコンテンツＩＤに対応する番組ＩＤを、ハードディスク５７３に有している番組ＤＢから取得する（Ｓ４９１１）。
【０２７４】
図５０に移って、ＣＰＵ５７１は、番組ＩＤに対応する番組放送スケジュールを、ハードディスク５７３に有している番組放送スケジュールＤＢから取得する（Ｓ４９１３）。ＣＰＵ５７１は、取得した番組放送スケジュールの［ＩＤ］列Ｃ４５０５に含まれるＣＭデータＩＤを抽出する（Ｓ４９１５）。ＣＰＵ５７１は、抽出したＣＭデータＩＤに対応するＣＭデータ名及びその存在場所を要求するＣＭデータ要求情報をＣＭ管理サーバ５３へ送信する（Ｓ４９１７）。
【０２７５】
図５２へ移って、ＣＭ管理サーバ５３のＣＰＵ５３１は、ＣＭデータ要求情報を受信したと判断すると（Ｓ５２０１）、ＣＭデータＤＢにアクセスし、ＣＭデータＩＤに対応するＣＭデータ名を［ＣＭデータ］列Ｃ４２０３から、当該ＣＭデータの存在位置を［存在位置］列Ｃ４２０５から、それぞれ取得する（Ｓ５２０３）。ＣＰＵ５３１は、取得したＣＭデータ名及び存在位置をＣＭデータ情報として、配信制御サーバ５７へ送信する（Ｓ５２０５）。
【０２７６】
図５０に戻って、配信制御サーバ５７のＣＰＵ５７１は、ＣＭデータ情報を受信したと判断すると（Ｓ４９１９）、ステップＳ４６１３で取得した番組放送スケジュールに基づくように対応するコンテンツを送信すべくコンテンツデータ配信要求情報をコンテンツ配信サーバ６１へ送信する（Ｓ４９２１）。なお、配信しようとするコンテンツデータ及びコンテンツ配信サーバ６１のネットワーク上の存在位置は、ステップＳ４９０７で取得したコンテンツＩＤ情報から取得する。
【０２７７】
また、ＣＰＵ５７１は、ステップＳ４６１３で取得した番組放送スケジュールに基づくように対応するＣＭデータを送信すべくＣＭデータ配信要求情報をＣＭ配信サーバ６３へ送信する（Ｓ４９２３）。なお、配信しようとするＣＭデータ及びＣＭ配信サーバ６３のネットワーク上の存在位置は、ステップＳ４９１９で取得したＣＭデータ情報から取得する。
【０２７８】
さらに、ＣＰＵ５７１は、ステップＳ４６１３で取得した番組放送スケジュールに基づくように対応する広告アイコンデータを送信すべく広告アイコン配信要求情報を広告アイコンサーバ５５へ送信する（Ｓ４９２５）。
【０２７９】
図５３に移って、広告アイコンサーバ５５のＣＰＵ５５１は、広告アイコン配信要求情報を受信すると（５３０１）、対応する広告アイコンデータを広告アイコンＤＢから取得する（Ｓ５３０１）。ＣＰＵ５５１は、番組放送スケジュールに沿うように取得した広告アイコンデータを配信する（Ｓ５３０５）。
【０２８０】
なお、コンテンツデータ、ＣＭデータ、及び広告アイコンデータを携帯電話３１若しくはテレビ受像器３３に配信するにあたって、通信環境等の問題から、既存のテレビ放送（デジタルテレビ放送を含む）のように番組放送スケジュールに正確に則った各データの配信は困難である。従って、各データの配信は、実際に番組として携帯電話３１等の上に表示される前に当該携帯電話３１等が受信できるように配信される。このような各データの受信と表示のタイムラグは、携帯電話３１及びテレビ受像器３３におけるテレビ使用アプリケーションが調整し、表示する。
【実施例７】
【０２８１】
1.概要
実施例１〜実施例７における広告システムでは、既存のテレビ放送、ネットワーク上のテレビ放送を問わず、放送された広告及びその広告に対応する広告アイコンを携帯電話１１に表示するものであった。本実施例における広告システムでは、駅や街頭に存在する広告ディスプレイや広告塔等の広告表示装置から、当該広告表示装置が表示する広告に関する広告アイコンを携帯電話上に表示し、また、蓄積するものである。
【０２８２】
2.広告システムの機能
本発明に係る広告システム７の機能を図５３ａに示す機能ブロック図に基づき説明する。広告システム７は、広告表示装置Ｍ７１０び広告識別情報収集装置Ｍ７２０を有している。
【０２８３】
広告表示装置Ｍ７１０は、広告画面情報記憶手段Ｍ７１１、広告識別情報記憶手段Ｍ７１２、広告識別要求獲得手段Ｍ７１３、広告識別情報提供手段Ｍ７１４、画面情報生成手段Ｍ７１５、表示制御手段Ｍ７１６、及び画面手段Ｍ７１７を有している。広告画面情報記憶手段Ｍ７１１は、広告画面情報を記憶する。広告識別情報記憶手段Ｍ７１２は、広告画面情報に対応する広告識別情報を記憶する。広告識別要求獲得手段Ｍ７１３は、広告識別情報の獲得を要求する。広告識別情報提供手段Ｍ７１４は、広告識別要求情報を獲得すると、対応する広告識別情報を提供する。画面情報生成手段Ｍ７１５は、広告画面情報を画面手段Ｍ７１７に表示するための画面情報を生成する。表示制御手段Ｍ７１６は、生成した画面情報を画面手段Ｍ７１７に表示する。
【０２８４】
広告識別情報収集装置Ｍ７２０は、広告識別要求提供手段Ｍ７２３、広告識別情報獲得手段Ｍ７２４、広告識別情報記憶手段Ｍ７２２、画面情報生成手段Ｍ７２５、表示制御手段Ｍ７２６、及び画面手段Ｍ７２７を有している。広告識別要求提供手段Ｍ７２３は、広告識別要求情報を提供する。広告識別情報獲得手段Ｍ７２４は、広告識別情報を獲得する。広告識別情報記憶手段Ｍ７２２は、獲得した広告識別情報を記憶する。画面情報生成手段Ｍ７２５は、広告識別情報記憶手段に記憶した広告識別情報を画面手段に表示するための画面情報を生成する。また、画面情報生成手段Ｍ７２５は、広告識別情報を複数テレビ画面手段に表示する画面情報を生成する。表示制御手段Ｍ７２６は、生成した画面情報を画面手段に表示する。
【０２８５】
3.  ハードウェア構成
3.1.  広告システム７のハードウェア構成
広告システム７のハードウェア構成を図５４を用いて説明する。広告システム７は、携帯電話７１、広告表示装置７５、及び広告情報配信サーバ１７を有している。携帯電話７１と広告表示装置７５とは、互いにブルートゥース等の近距離無線による通信が可能である。また、携帯電話７１と広告情報配信サーバ１７とは、ネットワークを介したデータの送受信が可能である。
【０２８６】
3.2.  携帯電話７１のハードウェア構成
携帯電話７１のハードウェア構成を図５５に基づいて説明する。携帯電話７１は、ＣＰＵ１１１、メモリ１１２、近距離無線通信制御回路７１３、キーボード１１４、スピーカ１１５、ディスプレイ１１６及び携帯電話通信制御回路１１７を備えている。
【０２８７】
近距離無線通信制御回路７１３は、近距離無線通信制御回路を有する他の通信装置等とデータの送受信を行う。他の構成については、実施例１における携帯電話１１と同様のハードウェア構成であるので、ここでの詳細な記述は省略する。なお、メモリ１１２に記憶されている広告アイコン表示アプリケーションは、近距離無線通信制御回路７１３等を解して取得した広告アイコンデータを表示する。
【０２８８】
3.3.  広告表示装置７５のハードウェア構成
広告表示装置７５のハードウェア構成を図５６に基づいて説明する。広告表示装置７５は、ＣＰＵ７５１、メモリ７５２、液晶ディスプレイ７５６（ＬＣＤ７５６）、及び近距離無線通信制御回路７５８を備えている。
【０２８９】
ＣＰＵ７５１は、メモリ７５２に記録されているオペレーティング・システム（ＯＳ）、広告表示プログラム等その他のアプリケーションに基づいた処理を行う。メモリ７５２は、ＣＰＵ７５１に対して作業領域を提供する。メモリ７５２は、ＯＳ、広告表示プログラム等その他のアプリケーション及び表示広告情報、広告アイコン情報等の各種データを記録保持する。
【０２９０】
ここで、表示広告情報とは、広告に関するデータであり、ＬＣＤ７５６に表示するための情報である。また、広告アイコン情報とは、ＬＣＤ７５６に表示される表示広告情報に対応するアイコンであって、当該表示広告情報に関するより詳細な広告情報を後に獲得することが可能となる情報である。
【０２９１】
ＬＣＤ７５６は、表示広告情報を表示する。近距離無線通信制御回路７５８は、近距離無線通信制御回路を有する携帯電話７１等の外部の通信機器と近距離無線通信を介したデータの送受信を行う。
【０２９２】
なお、本実施例ではＬＣＤ７５６に表示広告情報が表示されるとしたが、ＬＣＤ７５６を設けずに、駅等に貼られているポスター広告のように紙媒体の広告を表示するようにしてもよい。
【０２９３】
4.  広告システム７の動作
4.1.  広告アイコン取得処理
広告システム７を構成する携帯電話７１及び広告表示装置７５の広告アイコン取得処理を図５７に示すフローチャートを用いて説明する。携帯電話７１のユーザは、広告表示装置７５のＬＣＤ７５６に表示されている広告を見て、当該広告に関する広告情報を後から取得できるように構成された広告アイコン情報を取得することができる。この場合、携帯電話７１のユーザは、所定の操作により、広告アイコン要求情報を送信する。
【０２９４】
携帯電話７１のＣＰＵ７１１は、広告アイコン要求情報を近距離無線通信制御回路７１３を介して送信する（Ｓ５８０１）。
【０２９５】
広告表示装置７５のＣＰＵ７５１は、広告アイコン要求情報を取得したと判断すると（Ｓ５８１１）、メモリ７５２に有する広告アイコン情報を取得する（Ｓ５８１３）。ＣＰＵ７５１は、取得した広告アイコン情報を携帯電話７１へ送信する（Ｓ５８１５）。
【０２９６】
携帯電話７１のＣＰＵ７１１は、広告アイコン情報を取得したと判断すると（Ｓ５８０３）、取得した広告アイコン情報をメモリ１１２へ保存する（Ｓ５８０５）。また、ＣＰＵ７１１は、取得した広告アイコン情報を広告アイコン表示アプリケーションを用いてディスプレイ１１６へ表示する（Ｓ５８０７）。
【０２９７】
4.2.  広告情報取得処理
広告システム７を構成する携帯電話７１及び広告配信サーバ１７の広告情報取得処理を図５８に示すフローチャートを用いて説明する。携帯電話７１のユーザは、メモリ７５２に保存した広告アイコン情報をディスプレイ１１６へ表示させ、選択することで、広告アイコン情報に対応した商品等に関するより詳細な情報である広告情報を、ネットワークを介して広告配信サーバ１７から取得することができる。この場合、携帯電話７１のユーザは、所定の操作により、ディスプレイ１１６に表示された広告アイコン情報を選択し、広告要求情報を送信する。
【０２９８】
携帯電話７１のＣＰＵ７１１は、ディスプレイ１１６に表示された広告アイコン情報が選択されたと判断すると（Ｓ５９０１）、広告要求情報を送信する（Ｓ５９０３）。
【０２９９】
広告配信サーバ１７のＣＰＵ１７１は、広告要求情報を受信したと判断すると（Ｓ５９１１）、広告アイコン情報に対応する広告情報を広告情報ＤＢから取得する（Ｓ５９１３）。ＣＰＵ１７１は、取得した広告情報を携帯電話７１へ送信する（Ｓ５９１５）。
【０３００】
携帯電話７１のＣＰＵ７１１は、広告情報を受信したと判断すると（Ｓ５９０５）、当該広告情報をディスプレイ１１６へ表示する（Ｓ５９０７）。
【０３０１】
［その他の実施例１］
前述の実施例１においては、携帯電話１１において放送した広告に関する広告アイコンを複数表示するもとしたが、広告識別情報を複数表示するものであればこれに限定されない。例えば、過去にユーザが広告情報を獲得した広告についての広告アイコンを表示するようにしてもよい。過去に放送された広告において、ユーザが選択した広告についての広告アイコンを表示するようにしてもよい。この場合、放送される広告に対して「お気に入り」を設定すること等によって実現することができる。
【０３０２】
また、前述の実施例２においては、現在放送されている広告に対して次の広告に関する広告アイコンが表示されることとしたが、今後表示される広告識別情報であれば、これに限定されない。例えば、１時間分、１日分等の所定の期間の広告アイコンを表示するようにしてもよい。この場合、放送装置１５ｄが所定の期間分のデータ放送原稿を送出するようにすればよい。
【０３０３】
さらに、前述の実施例１〜３においては、３つの広告アイコンを表示することとしたが、これに限定されない。
【０３０４】
さらに、前述の実施例４においては、携帯電話１１においてもデジタルテレビ放送を表示することとしたが、携帯電話１１においては、広告アイコンのみが表示されるようにしてもよい。これにより、テレビ受像装置１３はデジタルテレビ放送を視聴することのみに利用でき、一方で、携帯電話１１を用いて所望の広告情報をいつでも取得することができるメリットがある。
【０３０５】
さらに、前述の実施例１〜４においては、データ放送原稿と当該データ放送原稿を取得した時間とを関連付けてメモリ１１２へ保存することとしたが、データ放送原稿に対応する広告が放送された順番やデータ放送原稿が選択された順番等、データ放送原稿の順番を特定できるものであればこれに限定されない。例えば、携帯電話１１がデータ送出スケジュールを取得できるようにすれば、データ放送原稿と当該データ放送原稿を取得した時間と関連付けなくともデータ放送原稿の順番を特定することが可能となる。
【０３０６】
［その他の実施例２］
前述の実施例１〜実施例７においては、一般的なテレビ放送波かネットワークを介したテレビ配信か問わずテレビ放送を対象とした。しかし、コンテンツと広告とを放送ないし配信するものであれば、これに限定されない。例えば、ラジオ放送であってもよい。インターネットを利用したラジオ放送を利用する場合、ラジオ放送をストリーミングで配信する際に、同時に、広告アイコン情報をラジオ法で放送する広告に合わせて送信すればよい。
【０３０７】
また、前述の実施例５、実施例６においては、ネットワークを介したテレビ放送を実現する広告システム３、５のハードウェア構成及び当該広告システム３、５に必要なデータを示したが、ネットワークを介したテレビ放送を実現するものであればこれに限定されない。
【０３０８】
さらに、前述の実施例７においては、近距離無線通信を利用して広告アイコン情報の送受信を行うとしたが、広告アイコン情報を送受信できるものであればこれに限定されない。
【０３０９】
さらに、前述の実施例１〜実施例６においては、携帯電話及びテレビ受像器を含むように広告システムを構成するものとしたが、携帯電話のみを含むように広告システムを構成するようにしてもよい。
【０３１０】
さらに、前述の実施例１〜実施例７においては、携帯電話を用いて広告アイコン情報を表示するものとしたが、他の携帯端末等であってもよい。
【０３１１】
さらに、前述の実施例１〜実施例６においては、テレビ受像器において、広告アイコン情報を受信し、表示するようにしてもよい。
【０３１２】
さらに、
さらに、前述の実施例５、実施例６においては、実施例１に対応する実施例として記述した。しかし、実施例２〜実施例４を実施例５、実施例６に適用するようにしてもよい。
【０３１３】
さらに、前述の実施例１〜７において、携帯電話において広告アイコンをディスプレイに表示する際のバリエーションを図５９に示す。図５９に示すように、所定の一つの広告アイコンＢ８３のみを表示させ、表示させた広告アイコンＢ８３の左右にボタンＢ８７、Ｂ８９を配置することによって、表示した広告アイコンＢ８３に対して時間的に前に取得した広告アイコンＢ８１、及び、時間的に後に取得した広告アイコンＢ８５を表示させるようにしてもよい。
【０３１４】
さらに、メモリ及びハードディスクは、記憶手段を構成する。
【図１】
0005400858.tif 000002
【図２】
0005400858.tif 000003
【図３】
0005400858.tif 000004
【図４】
0005400858.tif 000005
【図５】
0005400858.tif 000006
【図６】
0005400858.tif 000007
【図７】
0005400858.tif 000008
【図８】
0005400858.tif 000009
【図９】
0005400858.tif 000010
【図１０】
0005400858.tif 000011
【図１１】
0005400858.tif 000012
【図１２】
0005400858.tif 000013
【図１３】
0005400858.tif 000014
【図１４】
0005400858.tif 000015
【図１５】
0005400858.tif 000016
【図１６】
0005400858.tif 000017
【図１７】
0005400858.tif 000018
【図１８】
0005400858.tif 000019
【図１９】
0005400858.tif 000020
【図２０】
0005400858.tif 000021
【図２１】
0005400858.tif 000022
【図２２】
0005400858.tif 000023
【図２３】
0005400858.tif 000024
【図２４】
0005400858.tif 000025
【図２５】
0005400858.tif 000026
【図２６】
0005400858.tif 000027
【図２７】
0005400858.tif 000028
【図２８】
0005400858.tif 000029
【図２９】
0005400858.tif 000030
【図３０】
0005400858.tif 000031
【図３１】
0005400858.tif 000032
【図３１ａ】
0005400858.tif 000033
【図３２】
0005400858.tif 000034
【図３３】
0005400858.tif 000035
【図３４】
0005400858.tif 000036
【図３５】
0005400858.tif 000037
【図３６】
0005400858.tif 000038
【図３７】
0005400858.tif 000039
【図３８】
0005400858.tif 000040
【図３９】
0005400858.tif 000041
【図４０】
0005400858.tif 000042
【図４１】
0005400858.tif 000043
【図４２】
0005400858.tif 000044
【図４３】
0005400858.tif 000045
【図４４】
0005400858.tif 000046
【図４５】
0005400858.tif 000047
【図４６】
0005400858.tif 000048
【図４７】
0005400858.tif 000049
【図４８】
0005400858.tif 000050
【図４９】
0005400858.tif 000051
【図５０】
0005400858.tif 000052
【図５１】
0005400858.tif 000053
【図５２】
0005400858.tif 000054
【図５３】
0005400858.tif 000055
【図５３ａ】
0005400858.tif 000056
【図５４】
0005400858.tif 000057
【図５５】
0005400858.tif 000058
【図５６】
0005400858.tif 000059
【図５７】
0005400858.tif 000060
【図５８】
0005400858.tif 000061
【図５９】
0005400858.tif 000062